(57)【要約】【課題】飲み物に関する楽しみを提供する。【解決手段】サーバ４１０は、珈琲を容器（サーバや珈琲カップ）に溜める場合の、珈琲抽出のタイミングと、抽出された珈琲を容器に入れるタイミングと、抽出された珈琲を容器に入れた後のタイミングとの何れかにおいて、抽出された珈琲に関する情報を複数の容器に入れられた各珈琲について電子機器４３１、４４１、４５１から取得する。そして、サーバ４１０は、その取得された各情報の解析に基づいて複数のキャラクタ―のうちから１または複数のキャラクターを決定し、複数の容器に関連する各人物の電子機器４３１、４４２、４４３、４５２に提供する。【選択図】図３２
2020114386.tif 000002
【特許請求の範囲】
【請求項１】
飲み物を抽出するための物質を収容して当該物質に注がれた液体を容器に落下させるドリッパーであって、
前記容器に溜められる液体に関する情報を利用して出力部からコンテンツを出力させるための処理を行うドリッパー。
【請求項２】
飲み物を抽出するための物質を収容して当該物質に注がれた液体を容器に落下させるドリッパーであって、
前記容器に溜められる液体に関する情報を利用して出力部からコンテンツを出力させるための制御を行う制御部を備えるドリッパー。
【請求項３】
飲み物を抽出するための物質を収容して当該物質に注がれた液体を容器に落下させるドリッパーであって、
前記容器に溜められる液体に関する情報のやり取りを他の機器との間で行う通信部を備えるドリッパー。
【請求項４】
飲み物を抽出するための物質を収容部に収容して当該物質に注がれた液体を容器に落下させるドリッパーを支持するためのスタンドであって、
前記収容部の上側にセンサを備えるスタンド。
【請求項５】
飲み物を抽出するための物質を収容して当該物質に注がれた液体を容器に落下させるドリッパーを支持するためのスタンドであって、
前記容器に溜められる液体に関する情報を取得するセンサを備えるスタンド。
【請求項６】
飲み物を抽出するための物質を収容して当該物質に注がれた液体を容器に落下させるドリッパーを支持するためのスタンドであって、
前記容器に溜められる液体に関する情報を出力するユーザインタフェースを備えるスタンド。
【請求項７】
飲み物を抽出するための物質にユーザにより注がれた液体を落下させるドリッパーと、前記ドリッパーから落下する液体を溜める容器との間に配置して使用可能であり、
前記容器に溜められる液体に関する情報を利用して出力部から、前記ユーザに対してコンテンツを提供するための処理を行う電子機器。
【請求項８】
飲み物を抽出するための物質に注がれた液体を落下させるドリッパーと、前記ドリッパーから落下する液体を溜める容器との間に配置して使用可能であり、
前記容器に溜められる液体に関する温度の計測が可能な温度センサと、当該液体に関する匂いの計測が可能な匂いセンサと、当該液体に関する音の計測が可能な音センサと、当該液体に関する重さの計測が可能な重さセンサと、当該液体に関する味覚の計測が可能な味覚センサとのうちの少なくとも１つを備える電子機器。
【請求項９】
飲み物を抽出するための物質に注がれた液体を落下させるドリッパーと、前記ドリッパーから落下する液体を溜める容器との間に配置して使用可能であり、
前記容器に溜められる液体に関する情報を利用して出力部からコンテンツを出力させるための制御を行う制御部を備える電子機器。
【請求項１０】
飲み物を抽出するための物質に注がれた液体を落下させるドリッパーと、前記ドリッパーから落下する液体を溜める容器との間に配置して使用可能であり、
前記容器に溜められる液体に関する情報を利用して出力部からコンテンツを出力させるための情報のやり取りを行う通信部を備える電子機器。
【請求項１１】
飲み物を抽出するための物質に注がれた液体を落下させるドリッパーと、前記ドリッパーから落下する液体を溜める容器との間に配置して使用可能であり、
前記容器に溜められる液体に関する情報のやり取りを他の機器との間で行う通信部を備える電子機器。
【請求項１２】
ユーザによる飲み物の抽出が行われる際に、容器に溜められる前記飲み物に関する情報を複数の所定タイミングで取得し、前記複数の情報を利用して前記ユーザにコンテンツを提供するための処理を行う電子機器。
【請求項１３】
飲み物を生成するための物質と液体とにより生成される前記飲み物を容器に溜める場合の当該生成の際と、当該生成された飲み物を容器に入れる際と、当該生成された飲み物を前記容器に入れた後の際との何れかにおいて、当該生成された飲み物に関する情報を取得して情報処理装置に送信する複数の電子機器と、
前記複数の電子機器から送信された、複数の容器に入れられた各飲み物に関する各情報に基づいて前記飲み物毎の判定情報を求め、当該飲み物毎の判定情報をそれぞれ比較した比較結果に基づいて複数のコンテンツのうちから決定されたコンテンツを、前記複数の容器に関連する各人物の電子機器に提供するための処理を行う情報処理装置と
を含む通信システム。
【発明の詳細な説明】
【技術分野】
【０００１】
本発明は、抽出器に関し、特に、飲み物を抽出する際に用いられる抽出器、その飲み物について取得される情報を用いる電子機器及び情報処理装置に関する。
【背景技術】
【０００２】
世界各地において、珈琲、紅茶、緑茶等の各種の飲み物が飲まれている。また、これらの飲み物を淹れる機器（抽出機器）として多数の機器が存在する。例えば、珈琲を抽出するための珈琲ドリッパーが存在する（例えば、特許文献１）。
【先行技術文献】
【特許文献】
【０００３】
【特許文献１】特開２０１４−１０４１５５号公報
【発明の概要】
【発明が解決しようとする課題】
【０００４】
従来技術では、各種の機器を用いて、個人の好みに応じた飲み物を淹れることができる。また、各種の機器を用いて飲み物を淹れる場合にはある程度の時間を要する。そこで、各種の機器を用いて飲み物を作る場合に、その飲み物を作るタイミングで取得が可能な情報を用いて、飲み物を作る人などに、何らかの情報を提供することができれば、飲み物を作る楽しみが増加すると考えられる。
【０００５】
そこで、本発明は、飲み物に関する楽しみを提供することを目的とする。
【課題を解決するための手段】
【０００６】
本発明の一形態は、飲み物を抽出するための物質に注がれた液体を落下させるドリッパーと、前記ドリッパーから落下する液体を溜める容器と、前記ドリッパーと前記容器との間に配置されて使用される電子機器であって、前記容器に溜められる液体に関する情報を取得し、前記情報を利用して出力部からコンテンツを出力させる電子機器と、を有する抽出器である。また、その制御を行うための処理方法ならびにその方法をコンピュータに実行させるプログラムである。
【０００７】
また、その形態において、前記電子機器は、前記ドリッパーから落下した液体を通すための孔を有し、前記容器の開口部の形状に対応する環状部を備え、使用時には、前記ドリッパーと前記容器との間に挟まれて前記容器の開口部に支持されるとともに前記ドリッパーを支持してもよい。
【０００８】
また、その形態において、前記電子機器は、前記容器に溜められる液体に関する画像情報を取得する画像取得部を備え、前記画像取得部は、前記電子機器が前記容器に設置された場合に前記容器に溜められる液体の表面にレンズが向くように前記電子機器に取り付けられるようにしてもよい。
【０００９】
また、その形態において、前記画像取得部は、前記容器に溜められる液体の表面に関する画像情報を取得し、前記電子機器は、前記液体の表面に現れる色、模様、泡のうちの少なくとも１つの遷移に基づいて、複数のコンテンツのうちから出力対象となるコンテンツを決定するようにしてもよい。
【００１０】
また、その形態において、前記コンテンツは、前記飲み物及び前記飲み物の抽出の双方に無関係のコンテンツであり、アニメのキャラクター、動物、人物、植物、地物のうちの少なくとも１つに関する情報とするようにしてもよい。
【００１１】
また、その形態において、前記電子機器は、音声情報及び画像情報のうちの少なくとも１つを前記コンテンツとして出力させるようにしてもよい。
【００１２】
本発明の一形態は、使用時には、飲み物を抽出するための物質に注がれた液体を落下させるドリッパーと、前記ドリッパーから落下する液体を溜める容器との間に挟まれて前記容器の開口部に支持されるとともに前記ドリッパーを支持する環状の電子機器であって、前記容器に溜められる液体に関する情報を取得し、前記情報を利用して出力部からコンテンツを出力させる電子機器である。また、その制御を行うための処理方法ならびにその方法をコンピュータに実行させるプログラムである。
【００１３】
本発明の一形態は、飲み物を生成するための物質と液体とにより生成される前記飲み物を容器に溜める場合の当該生成の際と、当該生成された飲み物を容器に入れる際と、当該生成された飲み物を前記容器に入れた後との何れかにおいて、当該生成された飲み物に関する情報を複数の容器に入れられた各飲み物について取得し、当該取得された各情報の解析に基づいて複数のコンテンツのうちから決定されたコンテンツを、前記複数の容器に関連する各人物の電子機器に提供する情報処理装置である。また、その決定を行う決定方法、その決定されたコンテンツを提供するコンテンツ提供方法及びそれらの各方法をコンピュータに実行させるプログラムである。
【００１４】
また、その形態において、前記情報処理装置は、前記飲み物に関して発生する自然現象に関する情報に基づいて前記飲み物毎に判定情報を求め、当該判定情報を用いて前記複数のコンテンツのうちから前記電子機器に提供するコンテンツを決定するようにしてもよい。
【００１５】
例えば、飲み物を生成するための物質と液体とにより生成される飲み物を容器に溜める場合の当該生成の際と、当該生成された飲み物を容器に入れる際と、当該生成された飲み物を容器に入れた後との少なくとも１つのタイミングで、複数の容器のそれぞれに接続（または近接）する電子機器は、容器に入れられた飲み物に関する情報（飲み物に関して発生する自然現象に関する情報）を取得する。次に、各電子機器は、通信機能を利用して、その取得された情報（飲み物に関して発生する自然現象に関する情報）を情報処理装置に送信する。情報処理装置は、そのように送信された各情報（飲み物に関して発生する自然現象に関する情報）を取得する。次に、情報処理装置は、その取得された各情報の解析に基づいて、比較可能な判定情報を飲み物毎に求める。次に、情報処理装置は、その判定情報を用いて、複数のコンテンツのうちから各電子機器（情報を取得した複数の容器に関連する各人物の電子機器）に提供するコンテンツを決定する。次に、情報処理装置は、その決定されたコンテンツを、情報を取得した複数の容器に関連する各人物の電子機器に提供する。
【００１６】
本発明の一形態は、飲み物を抽出するための物質を収容し、当該収容された物質に注がれた液体を落下させる孔が設けられる収容部と、前記収容部から落下する液体を溜める容器と、前記容器に溜められる液体に関する情報を取得する取得部と、前記取得部により取得された前記情報に基づいてコンテンツを出力する制御を行う制御部と、を有する抽出器である。また、その制御を行うための処理方法ならびにその方法をコンピュータに実行させるプログラムである。
【００１７】
また、前記取得部を、レンズを介して前記容器に溜められる液体に関する画像情報を取得する画像取得部とし、前記レンズの光軸方向が前記液体の表面を向くように前記取得部を取り付けるようにしてもよい。
【００１８】
また、前記容器を、透明な容器とし、前記取得部を、レンズを介して前記容器に溜められる液体に関する画像情報を取得する画像取得部とし、前記容器に溜められる液体に関する画像情報を前記容器の外側から取得できる位置に前記取得部を取り付けるようにしてもよい。
【００１９】
また、前記取得部及び前記制御部を備える電子機器を前記抽出器から取り外し可能とするようにしてもよい。
【００２０】
また、前記制御部は、前記コンテンツを出力することが可能な他の機器に前記コンテンツを出力させるための情報を送信する制御を行うようにしてもよい。
【００２１】
また、前記コンテンツを、前記飲み物及び前記飲み物の抽出の双方に無関係のコンテンツとし、アニメのキャラクター、動物、人物、植物、地物のうちの少なくとも１つに関する情報とするようにしてもよい。
【００２２】
また、前記制御部は、前記取得部により取得された前記情報に基づいて、複数のコンテンツのうちから少なくとも１つのコンテンツを出力対象として選択するようにしてもよい。
【００２３】
また、本発明の一形態は、飲み物を抽出するための物質を収容し当該収容された物質に注がれた液体を落下させる孔が設けられる収容部と、前記収容部から落下する液体を溜める容器との間に挟まれて使用される電子機器であって、前記容器に溜められる液体に関する情報を取得するセンサを有することを特徴とする電子機器である。
【００２４】
また、前記電子機器は、前記収容部に設けられるフランジ部の形状と、前記容器の開口部の形状とに対応する形状の環状部を有し、前記環状部の上面に前記フランジ部の下面が接するとともに、前記環状部の下面に前記開口部の口縁が接し、前記センサが前記開口部内に配置されるように、前記電子機器が設置されるようにしてもよい。
【００２５】
また、前記環状部には、把持部を設けるようにしてもよい。また、前記環状部の環状の一部が欠けているような形状でもよく、Ｕ字型の形状でもよく、Ｙ字型の形状でもよく、多角形、台形、楕円形等の形状としてもよい。
【００２６】
また、本発明の一形態は、飲み物を生成するための物質と液体とにより生成される前記飲み物を容器に溜める場合の当該生成の際、当該生成された飲み物を容器に入れる際、または、当該生成された飲み物を前記容器に入れた後に、当該生成された飲み物に関して取得される情報に基づいてコンテンツを決定する情報処理装置である。また、その決定を行う決定方法、その決定されたコンテンツを提供するコンテンツ提供方法及びそれらの各方法をコンピュータに実行させるプログラムである。
【００２７】
また、本発明の一形態は、飲み物を生成するための物質と液体とにより生成される前記飲み物を容器に溜める場合の当該生成の際、当該生成された飲み物を容器に入れる際、または、当該生成された飲み物を前記容器に入れた後に、当該生成された飲み物に関して取得される情報を複数の容器に入れられた各飲み物について取得し、当該取得された各情報に基づいて前記複数の容器に関連する各人物に提供するコンテンツを決定する情報処理装置である。また、その決定を行う決定方法、その決定されたコンテンツを提供するコンテンツ提供方法及びそれらの各方法をコンピュータに実行させるプログラムである。
【発明の効果】
【００２８】
本発明によれば、飲み物に関する楽しみを提供することができるという効果を奏する。
【図面の簡単な説明】
【００２９】
【図１】第１の実施の形態における電子機器２０が取り付けられる珈琲抽出器１の外観構成の一例を示す図である。
【図２】第１の実施の形態におけるドリッパー１０と、電子機器２０と、容器３０との外観構成の一例を示す図である。
【図３】第１の実施の形態におけるドリッパー１０及び電子機器２０の外観構成の一例を示す図である。
【図４】第１の実施の形態における電子機器２０の機能構成例を示すブロック図である。
【図５】第１の実施の形態における電子機器２０により取得が可能な画像（容器３０に溜まる珈琲の表面の画像）の遷移の一例を示す図である。
【図６】第１の実施の形態における電子機器２０により出力対象の情報を決定する場合に用いられる各種情報の一例を示す図である。
【図７】第１の実施の形態における電子機器２０により出力対象の情報を決定する場合に用いられる各種情報の一例を示す図である。
【図８】第１の実施の形態における電子機器２０により取得が可能な画像（容器３０に溜まる珈琲の表面の画像）と、図６（１）に示す領域Ａ〜Ｉとの関係を示す図である。
【図９】第１の実施の形態における電子機器２０により出力対象の情報を決定する決定例を示す図である。
【図１０】第１の実施の形態における電子機器２０から音声情報を出力する場合の例を簡略化して示す図である。
【図１１】第１の実施の形態における電子機器２０による音声出力処理の一例を示すフローチャートである。
【図１２】第１の実施の形態における電子機器２０により出力対象の情報を決定する場合に用いられる各種情報の一例を示す図である。
【図１３】第２の実施の形態における電子機器２２０が取り付けられる珈琲抽出器２００の外観構成の一例を示す斜視図である。
【図１４】第２の実施の形態における電子機器２２０の機能構成例を示すブロック図である。
【図１５】第２の実施の形態における電子機器２２０により出力対象となる情報の一例を示す図である。
【図１６】第２の実施の形態における電子機器２２０により出力対象の情報を決定する決定例を示す図である。
【図１７】第２の実施の形態における電子機器２２０から音声情報及び画像情報を出力する場合の例を簡略化して示す図である。
【図１８】第２の実施の形態における電子機器２２０による情報出力処理の一例を示すフローチャートである。
【図１９】第３の実施の形態における電子機器３２０の機能構成例を示すブロック図である。
【図２０】第３の実施の形態における外部の機器（電子機器３５０、３６０）の外観構成の一例を示す斜視図である。
【図２１】第３の実施の形態における電子機器３５０の機能構成例を示すブロック図である。
【図２２】第３の実施の形態における電子機器３２０及び電子機器３５０による通信処理例を示すフローチャートである。
【図２３】第３の実施の形態における電子機器２２０以外の機器（電子機器３５０、３６０）から音声情報及び画像情報を出力する場合の例を簡略化して示す図である。
【図２４】第４の実施の形態における電子機器３２０及び電子機器３５０による通信処理例を示すフローチャートである。
【図２５】第５の実施の形態における通信システム４００のシステム機能構成例を示す図である。
【図２６】第５の実施の形態における電子機器４３１の機能構成例を示すブロック図である。
【図２７】第５の実施の形態におけるサーバ４１０の機能構成例を示すブロック図である。
【図２８】第５の実施の形態における記憶部４１３に記憶される管理情報の例を示す図である。
【図２９】第５の実施の形態における電子機器４３１、４４１、４５１に関する情報の記憶例と、電子機器４３１、４４１、４５１に提供するコンテンツの例を示す図である。
【図３０】第５の実施の形態における電子機器４３１及びサーバ４１０による通信処理例を示すフローチャートである。
【図３１】第５の実施の形態における電子機器４３１及びサーバ４１０による通信処理例を示すフローチャートである。
【図３２】第５の実施の形態におけるサーバ４１０が電子機器４３１、４４２、４４３、４５２にコンテンツを提供する例を示す図である。
【図３３】第５の実施の形態における電子機器４３１による送信処理の一例を示すフローチャートである。
【図３４】第５の実施の形態における電子機器４３１によるコンテンツ出力処理の一例を示すフローチャートである。
【図３５】第５の実施の形態におけるサーバ４１０によるコンテンツ提供処理の一例を示すフローチャートである。
【図３６】第５の実施の形態におけるサーバ４１０及び電子機器４３１による通信処理例を示すフローチャートである。
【図３７】第１乃至第５の実施の形態における珈琲抽出器または電子機器に取り付けるセンサの取付例を示す図である。
【図３８】第１乃至第５の実施の形態における電子機器７００、７１０、７２０、７２５に取り付けるセンサの取付例を示す図である。
【図３９】第１の実施の形態における珈琲抽出器１の変形例（珈琲抽出器７３０）の外観を示す図である。
【図４０】第１の実施の形態における珈琲抽出器１の変形例（珈琲抽出器７３０）の外観を示す図である。
【図４１】第６の実施の形態における電子機器７００により取得された情報を出力する場合の例を簡略化して示す図である。
【発明を実施するための形態】
【００３０】
次に本発明の実施の形態について図面を参照して詳細に説明する。
【００３１】
［第１の実施の形態：珈琲を淹れる場合に形成される色や模様を用いて音声情報を提供する例］
［珈琲抽出器及び電子機器の外観構成例］
図１は、第１の実施の形態における電子機器２０が取り付けられる珈琲抽出器１の外観構成の一例を示す図である。図１（１）には、電子機器２０が取り付けられる珈琲抽出器１の斜視図を示し、図１（２）には、電子機器２０が取り付けられる珈琲抽出器１の側面図を示す。
【００３２】
図２は、第１の実施の形態におけるドリッパー１０と、電子機器２０と、容器３０との外観構成の一例を示す図である。図２（１）には、図１に示す珈琲抽出器１から電子機器２０を取り外した場合の斜視図を示し、図２（２）には、ドリッパー１０の側面図を示す。
【００３３】
図３は、第１の実施の形態におけるドリッパー１０及び電子機器２０の外観構成の一例を示す図である。図３（１）には、フランジ部１２の下部に電子機器２０を取り付けた状態のドリッパー１０及び電子機器２０の上面図を示し、図３（２）には、フランジ部１２の下部に電子機器２０を取り付けた状態のドリッパー１０及び電子機器２０の下面図を示す。また、図３（３）には、電子機器２０の上面図を示し、図３（４）には、電子機器２０の下面図を示す。
【００３４】
珈琲抽出器１は、ドリッパー１０と、電子機器２０と、容器３０とを有する。また、珈琲抽出器１は、飲み物抽出器、飲み物を濾す機器、飲み物生成機器等と称することができる。
【００３５】
ドリッパー１０は、収容部１１と、フランジ部１２と、脚部１３とを有し、容器３０の開口部３２に配置して使用される珈琲ドリッパーである。また、フランジ部１２の下部には、電子機器２０が取り付けられる。
【００３６】
収容部１１は、珈琲豆を粉砕した粉を内部に収容する収容部であり、底部には、収容部１１内に注がれたお湯を流下させるための孔１４（鉛直方向に貫通する孔１４）が設けられている。このように、収容部１１は、上側から粉（珈琲豆を粉砕した粉）にお湯を注ぐための上部開口部と、粉（珈琲豆を粉砕した粉）に注がれたお湯を容器３０に落とすための孔１４（下部開口部、抽出口）とを備える。また、収容部１１は、内部に収容された粉（珈琲豆を粉砕した粉）に注がれたお湯を、その粉を経由して収容部１１の下側に配置される容器３０に注ぐ器具である。なお、図１では、図示を省略するが、収容部１１の外側面には取手等の各種の部材を設けるようにしてもよい。
【００３７】
例えば、収容部１１は、漏斗状に形成され、珈琲豆から抽出される（漉し出される）液体をろ過する紙フィルターを保持する収容部とすることができる。また、収容部１１を金属フィルターとするようにしてもよく、ネルフィルターを保持する収容部とするようにしてもよい。また、収容部１１の形状は、台形型、円錐型、バスケット型などのように各種の形状とすることができる。
【００３８】
フランジ部１２は、水平方向において、収容部１１の下部から外側に向かって広がる円盤状のフランジ部である。また、フランジ部１２は、収容部１１の下部に設けられ、収容部１１を容器３０の開口部３２に設置した場合に収容部１１を安定的に支持する。
【００３９】
脚部１３は、フランジ部１２の下面に設けられるリング状の突起であり、ドリッパー１０を容器３０の開口部３２以外の部分に直接おく場合にドリッパー１０を支持するものである。なお、脚部１３は、陶器（例えば、茶碗、お椀）の底、糸底、糸尻に相当する。また、図２、図３では、脚部１３をリング状の突起とする例を示すが、脚部１３は、ドリッパー１０を支持することができるように、３点以上の複数の突起（例えば、円周上に並ぶ複数の突起）とするようにしてもよい。
【００４０】
なお、収容部１１と、フランジ部１２と、脚部１３とを耐熱ガラス、陶器、樹脂等により一体で構成するようにしてもよく、収容部１１と、フランジ部１２と、脚部１３とを個別に構成して接合するようにしてもよい。なお、脚部１３については、省略するようにしてもよい。
【００４１】
容器３０は、ドリッパー１０から流下される珈琲豆の抽出液を溜める容器（珈琲サーバー）である。また、容器３０は、ドリッパー１０から流下される珈琲豆の抽出液を入れるための開口部３２を有し、開口部３２に配置されるドリッパー１０を支持する。なお、容器３０は、耐熱ガラスにより構成することができる。また、容器３０を、保温性を高めた部材により構成するようにしてもよく（例えば、ステンレスサーバー）、陶器製のものを用いるようにしてもよい。また、容器３０の形状は、図１に示す形状以外でも、各種の形状とすることができる。なお、図１では、図示を省略するが、容器３０の外側面には取手等の各種の部材を設けるようにしてもよい。
【００４２】
電子機器２０は、ドリッパー１０のフランジ部１２と、容器３０の開口部３２との間に挟むように取り付けられる電子機器や情報処理装置である。すなわち、電子機器２０は、ドリッパー１０のフランジ部１２と、容器３０の開口部３２との間に挟んで使用される電子機器や情報処理装置である。また、例えば、電子機器２０は、筐体（ケース）内に各機器（図４に示す各部）を設置することにより実現される。なお、筐体（ケース）の素材として、例えば、耐熱ガラス、陶器、金属、セラミックス、樹脂、木等を用いることができる。
【００４３】
電子機器２０は、方形状（平板状）の部分（把持部２７）と、リング状（環状）の部分（環状部２８）とにより構成される。環状部２８は、上面視においてリング状（環状）となる形状であり、ドリッパー１０が設置される上面（上部）７１と、容器３０の開口部３２に設置される下面（下部）７２と、フランジ部１２の下面における脚部１３に対向する内側面（内壁）７３と、外側面（外壁、周壁）７４とを有する。このように、環状部２８は、中空部（孔２９）を有するドーナツ形状であり、上面（上部）７１とドリッパー１０とが接し、下面（下部）７２と容器３０の開口部３２の口縁とが接するように、ドリッパー１０のフランジ部１２と、容器３０の開口部３２との間に挟まれるように配置される。また、電子機器２０は、リング状（環状）の部分（環状部２８）に方形状の部分（把持部２７）が接合されているような形状であり、例えば、虫メガネや、金魚すくいのような形状を有する。また、環状部２８は、ドリッパー１０のフランジ部１２の下面における脚部１３の直径（外径）よりも大きいサイズの内径（孔２９の直径のサイズ）を有する。また、環状部２８は、ドリッパー１０のフランジ部１２の下面の直径よりも小さいサイズの外径を有する。
【００４４】
また、図３（２）に示すように、電子機器２０は、フランジ部１２の脚部１３が環状部２８の孔２９に入るように、ドリッパー１０のフランジ部１２と、容器３０の開口部３２との間に挟むように取り付けられる。すなわち、電子機器２０は、容器３０の開口部３２により支持され、ドリッパー１０は、電子機器２０の環状部２８により支持される。例えば、図１（２）、図３（２）に示すように、電子機器２０の環状部２８の形状を、容器３０の開口部３２（口縁）の形状に合うように設定するとともに、ドリッパー１０のフランジ部１２の形状に合うように設定することにより、電子機器２０を、ドリッパー１０のフランジ部１２と、容器３０の開口部３２との間に挟むように取り付けた場合でも、容器３０により電子機器２０及びドリッパー１０が安定的に支持される。
【００４５】
このように、環状部２８は、フランジ部１２の環状の形状と、容器３０の開口部３２の環状の形状とに対応する形状である。また、環状部２８の上面７１にフランジ部１２の下面が接するとともに、環状部２８の下面７２に容器３０の開口部３２の口縁が接し、レンズ２１が開口部３２内に配置されるように、電子機器２０が設置される。
【００４６】
また、電子機器２０の取り付け作業や取り外し作業をする場合には、ユーザは把持部２７を手で持って、各作業を行うことができる。このため、把持部２７は、電子機器２０の把持部として機能する。また、把持部２７には、操作部２６を備えるため、把持部２７は、電子機器２０の操作部としても機能する。また、把持部２７には、音声出力部２５を備えるため、把持部２７は、電子機器２０の出力部としても機能する。
【００４７】
このように、電子機器２０を虫メガネや、金魚すくいのような形状とすることにより、電子機器２０の取り付け及び取り外しが容易である。また、電子機器２０を珈琲抽出器１に安定的に設置することができる。
【００４８】
なお、把持部２７及び環状部２８の形状は、これらに限定されない。例えば、環状部２８の外径を、ドリッパー１０のフランジ部１２の下面の直径よりも大きいサイズとするようにしてもよい。また、容器３０の開口部３２に安定的に配置することができ、ドリッパー１０を安定的に支持することができれば、環状部２８の形状を他の形状とするようにしてもよい。例えば、リング状の部分の一部が欠けているような形状でもよく、上面視において、Ｕ字型の形状でもよく、Ｙ字型の形状でもよく、多角形、台形、楕円等の形状（少なくとも脚部１３の直径（外径）よりも大きいサイズの孔に相当する部分を有する）としてもよい。なお、環状部２８の変形例を図３８に示す。
【００４９】
また、電子機器２０は、レンズ２１と、音声出力部２５と、操作部２６とを有する。なお、レンズ２１と、音声出力部２５と、操作部２６との機能構成については、図４を参照して詳細に説明する。
【００５０】
また、電子機器２０のレンズ２１は、環状部２８の下部（下側の面（下面７２））に配置される。また、電子機器２０のレンズ２１は、ドリッパー１０及び電子機器２０を容器３０にセットした場合に、レンズ２１の光軸方向が容器３０に溜まる珈琲抽出液の表面に向く位置に配置される。
【００５１】
また、ドリッパー１０に熱湯が注がれた場合や電子機器２０の取り外し作業を行う場合等には、電子機器２０の全体や各部（レンズ２１、音声出力部２５、操作部２６）に水等が付着することも想定される。そこで、電子機器２０の全体や各部（レンズ２１、音声出力部２５、操作部２６）に防水加工処理を施すことが好ましい。
【００５２】
また、ドリッパー１０に熱湯が注がれた場合に、ドリッパー１０及び容器３０が熱を持つことが想定される。そこで、電子機器２０に内蔵される各機器については、ドリッパー１０及び容器３０からの熱の影響を受けないように、断熱性部材等により内包するか、断熱処理を施すことが好ましい。例えば、発泡材系、フェルト系等の断熱材を使用するようにしてもよく、これらのうちの２種以上の部材を組み合わせるようにしてもよい。また、例えば、ドリッパー１０及び容器３０からの熱の影響を受けないように、レンズ２１、画像取得部２２以外の各機器（図４に示す各部）を把持部２７の内部に設置することができる。
【００５３】
また、ドリッパー１０に熱湯が注がれた場合に、容器３０に溜まる珈琲（液体）から湯気が発生し、レンズ２１が曇ることが想定される。そこで、レンズ２１の表面に曇り止め処理を施すことが好ましい。または、曇り止め処理が施された透明部材でレンズ２１全体を覆うようにしてもよい。また、熱の影響を防止するため、レンズ２１自体、または、曇り止め処理が施された透明部材にも、断熱処理を施すことが好ましい。
【００５４】
［電子機器の機能構成例］
図４は、第１の実施の形態における電子機器２０の機能構成例を示すブロック図である。
【００５５】
電子機器２０は、レンズ２１と、画像取得部２２と、制御部２３と、記憶部２４と、音声出力部２５と、操作部２６とを有する。なお、電子機器２０は、バッテリを内蔵または装着してバッテリを電源として用いるようにしてもよく、バッテリを内蔵せずに外部からの電源を用いるようにしてもよい。
【００５６】
レンズ２１は、被写体からの光を集光する複数のレンズにより構成される。また、レンズ２１により集光された被写体からの光が撮像素子（画像取得部２２が備える）に入射される。
【００５７】
画像取得部２２は、制御部２３の制御に基づいて、被写体を撮像して画像（画像データ）を生成するものであり、生成された画像を制御部２３に出力する。画像取得部２２は、例えば、レンズ２１により集光された被写体からの光を入射する撮像素子（イメージセンサ、画像センサ）、その撮像素子により生成された画像データについて所定の画像処理を施す画像処理部により構成される。撮像素子として、例えば、ＣＣＤ（Charge Coupled Device）型やＣＭＯＳ（Complementary Metal Oxide Semiconductor）型の撮像素子を用いることができる。なお、レンズ２１は、制御部２３の制御に基づいて、各部（例えば、ズームレンズ、フォーカスレンズ、絞り）が制御されるようにしてもよい。
【００５８】
制御部２３は、記憶部２４に記憶されている制御プログラムに基づいて電子機器２０の各部を制御するものである。制御部２３は、例えば、ＣＰＵ（Central Processing Unit）により実現される。なお、ＣＰＵは、制御装置（制御回路）及び演算装置（演算回路）からなる中央処理装置（電子機器）である。
【００５９】
記憶部２４は、各種情報を記憶するメモリである。例えば、記憶部２４には、電子機器２０が各種処理を行うために必要となる各種情報（例えば、制御プログラム、出力対象となる情報を決定するための情報（例えば、図６（１）（２）、図７に示す各情報））が記憶される。また、記憶部２４には、画像取得部２２により取得された画像（画像データ）に基づいて決定される情報（例えば、図９（１）に示す）が記憶される。
【００６０】
音声出力部２５は、制御部２３の制御に基づいて、各種音声を出力する音声出力部（例えば、スピーカ）である。
【００６１】
操作部２６は、電子機器２０を操作するための操作入力を受け付けるものである。第１の実施の形態では、説明を容易にするため、操作部２６は、電子機器２０の電源をオンするためのスイッチであるものとする。なお、図１〜図３では、簡易的な操作部２６のみを示すが、他の操作部材を設けるようにしてもよい。
【００６２】
［容器に溜まる珈琲の表面の遷移例］
図５は、第１の実施の形態における電子機器２０により取得が可能な画像（容器３０に溜まる珈琲の表面の画像）の遷移の一例を示す図である。なお、図５では、説明を容易にするため、珈琲の液体及び珈琲の表面に発生する泡等を円形等で簡略化して示す。
【００６３】
図５（１）には、容器３０の底３１に、抽出された珈琲（液体）４１が落ちた状態を示す。最初に、ユーザは、容器３０の上部にドリッパー１０をセットし、ドリッパー１０の収容部１１の内部に紙フィルターを装着し、その紙フィルターに珈琲豆の粉を入れる。次に、ユーザは、沸騰させた後に９０度程度に冷やしたお湯を、ドリッパー１０にセットされた珈琲豆の粉に少量注ぎ、２０秒乃至３０秒程度蒸らす。この蒸らしの状態では、珈琲豆の粉に注がれるお湯は少量であり、注がれたお湯は珈琲豆の粉が吸収するため、容器３０の底３１には、抽出された珈琲（液体）４１は落ちないことが多い。
【００６４】
蒸らしの期間が終了したら、ユーザは、蒸らされた状態の珈琲豆の粉（ドリッパー１０にセットされた珈琲豆の粉）にお湯を好みの量だけユーザの好みのタイミングで順次注いでいく。このように、珈琲豆の粉にお湯が注がれると、図５（１）に示すように、珈琲豆の粉がお湯を吸収しきれず、珈琲（液体）４１が容器３０の底３１に落ちるようになる。この場合には、珈琲豆の粉に注がれるお湯の量や注がれる位置（ドリッパー１０にセットされた珈琲豆の粉の位置）によって、容器３０の底３１に落ちる珈琲（液体）４１の位置（底３１における位置）、サイズ（底３１におけるサイズ）、形状（底３１における平面形状）が変化する。例えば、図５（１）（２）に示すように、容器３０の底３１における中央付近に最初の珈琲（液体）４１が落ち、この後、何れかの方向に珈琲（液体）４１が広がるように溜まってく。
【００６５】
また、図５（３）に示すように、抽出された珈琲（液体）４１が容器３０の底３１にある程度溜まってくると、容器３０に溜まった珈琲（液体）４１の表面に泡４２が現れることが多い。なお、図５では、泡４２を白抜きで簡略化して示す。また、ユーザが、好みの量となるまで珈琲豆の粉にお湯を順次注いでいくと、図５（３）〜（８）に示すように、容器３０の形状に合わせて、珈琲（液体）４１の表面が小さくなっていく。
【００６６】
このように、ドリッパー１０にセットされた珈琲豆の粉にお湯が注がれると、図５（１）〜（８）に示すように、容器３０の底３１（容器３０に溜まった珈琲（液体）４１の表面を含む）には、珈琲の色（黒っぽい色）や泡の色（白っぽい色）などの様々な色や模様が形成される。このように形成される色や模様は、珈琲を淹れる人や珈琲を淹れる環境などによって異なることが多い。また、このように形成される色や模様は、同一人が同一の環境で珈琲を淹れたとしても同一または略同一となることは少ないと想定される。そこで、第１の実施の形態では、珈琲を淹れる場合に形成される色や模様を用いて各種の情報を提供する例を示す。
【００６７】
［珈琲を淹れる場合に形成される色や模様を用いて出力対象の情報を決定するための判定情報の例］
図６、図７は、第１の実施の形態における電子機器２０により出力対象の情報を決定する場合に用いられる各種情報の一例を示す図である。
【００６８】
図６（１）には、容器３０に溜まる珈琲に関する情報（例えば、容器３０に溜まった珈琲（液体）４１の表面）を取得する場合に用いる領域Ａ〜Ｉの一例を示す。図６（１）に示す円形状の領域は、電子機器２０の画像取得部２２により取得される画像（例えば、撮像素子により取得される矩形状の画像）のうちの容器３０の底３１の円形状に対応する領域である。また、図６（１）に示す円形状の領域を９領域に分割して領域Ａ〜Ｉとする。例えば、各面積が略同一となるように領域Ａ〜Ｉを設定することができる。なお、図６（１）に示す円形状の領域の分割は、一例であり、他の分割方法により円形領域を複数の領域に分割するようにしてもよい。例えば、円の中心を通る２つの直線（直径と同じ直線）により円形領域を４つ領域に分割するようにしてもよく、円の中心を通る３つの直線（直径と同じ直線）により円形領域を６つ領域に分割するようにしてもよく、円の中心を通る４つの直線（直径と同じ直線）により円形領域を８つ領域に分割するようにしてもよい。または、不規則な形状（例えば、多角形（例えば、三角形、四角形、五角形）、円形、楕円形）の領域（閉じた領域）を円形領域に重複しないように複数配置し、これらの各領域（閉じた領域、閉じた領域の外側の領域）により複数の領域を設定することができる。
【００６９】
図６（２）には、図６（１）に示す領域Ａ〜Ｉを用いて取得された情報に基づいて出力対象となる情報を決定する場合に用いる判定情報（テーブル）の一例を示す。図６（２）に示す判定情報は、容器３０に溜まる珈琲に関する情報（例えば、容器３０に溜まった珈琲（液体）４１の表面）の遷移と、出力対象となる情報ＯＩとの対応関係を示す情報である。例えば、図６（２）に示す判定情報には、Ａ〜Ｉの全ての組み合わせ（パターン）が定義される。例えば、出力対象となる情報ＯＩ１には全てＡのパターン「Ａ、Ａ、…、Ａ、Ａ」が定義される。また、出力対象となる情報ＯＩ２には、１つ（時間ｔ２が「Ｂ」）以外は全てＡのパターン「Ａ、Ｂ、Ａ、…、Ａ、Ａ」が定義される。また、出力対象となる情報ＯＩ２には、２つ（時間ｔ２、ｔ３が「Ｂ」）以外は全てＡのパターン「Ａ、Ｂ、Ｂ、Ａ、…、Ａ、Ａ」が定義される。以降も同様に定義され、出力対象となる情報ＯＩＭには全てＩのパターン「Ｉ、Ｉ、…、Ｉ、Ｉ」が定義される。
【００７０】
図６（２）において、時間ｔ１、…、ｔｎ（ただし、ｎは正の整数）は、珈琲抽出器１を用いて珈琲を抽出する際における経過時間を示す値である。例えば、容器３０に溜まる珈琲に関する情報を取得する間隔を２０秒とする場合には、時間ｔ１＝２０秒経過、時間ｔ２＝４０秒経過、時間ｔ３＝６０秒経過、…と２０秒間隔とする。そして、制御部２３（図４に示す）は、時間ｔ１、…、ｔｎのそれぞれにおいて、図６（１）に示す領域Ａ〜Ｉのうち、最も黒の割合が多い領域を順次判定し、その判定結果に基づいて、出力対象となる情報ＯＩ（ＯＩ１〜ＯＩＭ（ただし、Ｍは正の整数））を決定する。例えば、制御部２３は、時間ｔ１、…、ｔｎのそれぞれにおいて、図６（１）に示す領域Ａ〜Ｉのうち、最も黒の割合が多い領域が全てＡ（図６（１）に示す領域Ａ）であった場合には、出力対象となる情報ＯＩとしてＯＩ１を決定する。また、例えば、制御部２３は、時間ｔ１、…、ｔｎのそれぞれにおいて、図６（１）に示す領域Ａ〜Ｉのうち、最も黒の割合が多い領域が全てＩ（図６（１）に示す領域Ｉ）であった場合には、出力対象となる情報ＯＩとしてＯＩＭを決定する。
【００７１】
なお、時間ｔ１、…、ｔｎの間隔、ｎの値については、予め設定しておくようにしてもよく、ユーザ操作によりユーザの好みの値を設定するようにしてもよい。また、Ｍの値については、容器３０に溜まった珈琲（液体）４１の表面に対応する円形状を分割する領域の数と、ｎの値とに基づいて決定される。例えば、円形状を分割する領域が４でｎの値が４の場合には、２５６（＝４×４×４×４）に決定される。ただし、領域の数とｎの値とによっては、Ｍの値が大きくなりすぎ、出力対象となる情報（例えば、図７に示す音声情報６１）を用意できないことも想定される。このため、Ｍの値が、出力対象となる情報（例えば、図７に示す音声情報６１）の数よりも多い場合には、同一の音声情報６１を、異なる情報（出力対象となる情報ＯＩ）に割り当てるようにしてもよい。
【００７２】
図７には、図６（２）に示す判定情報を用いて決定された出力対象となる情報ＯＩと、出力対象情報（音声情報６１）との対応関係の一例を示す。例えば、出力対象となる情報ＯＩとしてＯＩ１が決定された場合には、音声情報６１としてサンタに関する情報が出力対象となる。サンタに関する情報は、例えば、「今日はあこがれのサンタの夢をみよう」の音声を出力するための情報である。なお、図７では、説明を容易にするため、音声出力の対象となる文字のみを簡易的に示す。なお、これらの出力例については、図１０を参照して説明する。
【００７３】
［珈琲を淹れる場合に形成される色や模様を用いて出力対象の情報を決定する例］
図８は、第１の実施の形態における電子機器２０により取得が可能な画像（容器３０に溜まる珈琲の表面の画像）と、図６（１）に示す領域Ａ〜Ｉとの関係を示す図である。なお、図８（１）〜（８）に示す容器３０に溜まる珈琲の表面の画像は、図５（１）〜（８）に示す各画像と同一である。
【００７４】
図９は、第１の実施の形態における電子機器２０により出力対象の情報を決定する決定例を示す図である。図８、図９では、珈琲抽出器１を用いて珈琲を抽出する際における経過時間として、時間ｔ１〜ｔ８を用いる場合の例を示す。この場合には、Ｍの値が、４３０４６７２１となるため、この数だけの音声情報６１を用意できない（また、記憶部２４に記憶できない）ことも想定される。このような場合には、同一の出力対象情報ＯＩについて、音声情報６１のうち一部を重複して関連付けるようにすることができる。
【００７５】
図８（１）〜（８）に示す容器３０に溜まる珈琲の表面の画像は、時間ｔ１〜ｔ８に取得されたものとする。
【００７６】
図９（１）には、時間ｔ１〜ｔ８のそれぞれにおいて、図６（１）に示す領域Ａ〜Ｉのうち、最も黒の割合が多い領域を時間ｔ１〜ｔ８に関連付けて記憶する場合の記憶例を示す。
【００７７】
最初に、電子機器２０の電源がオンされる。この電源オンオフは、電子機器２０に電源のオンオフをするためのスイッチ（操作部２６）を設け、ユーザの手動操作により行うことができる。また、何らかのセンサ（例えば、音センサ）を電子機器２０に設け、そのセンサにより電源オンオフを自動で行うようにしてもよい。また、無線通信部を電子機器２０に設け、外部機器（例えば、スマートフォン）の操作に基づいて電源オンオフを行うようにしてもよい。
【００７８】
このように、電子機器２０の電源がオンされた後に、電子機器２０の画像取得部２２（図４に示す）は、電子機器２０の制御部２３（図４に示す）に基づいて、容器３０に溜まる珈琲が撮像された画像（画像データを含む）を順次取得する。
【００７９】
また、電子機器２０の制御部２３（図４に示す）は、電子機器２０の画像取得部２２（図４に示す）により取得された画像（容器３０に溜まる珈琲が撮像された画像（画像データを含む））を順次取得する。
【００８０】
ここで、電子機器２０の電源がオンされた後に、最初の判定対象とする情報（容器３０に溜まる珈琲の表面の画像）は、時間の経過に基づいて決定するようにしてもよく、画像の変化に基づいて決定してもよく、外部からの操作に基づいて決定するようにしてもよい。例えば、電子機器２０の電源がオンされた後に、容器３０に溜まる珈琲の表面の画像に変化が生じてから所定時間（例えば、１秒〜２０秒、蒸らしの時間）が経過したタイミングを、時間ｔ１とすることができる。なお、容器３０に溜まる珈琲の表面の画像に変化は、例えば、容器３０の底３１に珈琲の液体が最初に落下したことによる変化（言い換えると、珈琲の液体の色（黒色）の発生による変化）である。
【００８１】
このように、制御部２３は、時間ｔ１のタイミングで取得した画像（容器３０に溜まる珈琲の表面の画像）を、最初の判定対象とする。そして、制御部２３は、時間ｔ１のタイミングで取得した画像における円形領域（容器３０に溜まった珈琲（液体）４１の表面に相当する円形領域）を決定する。なお、時間ｔ１のタイミングで取得した画像における円形領域は、容器３０には珈琲がほとんど溜まっていないことが多いため、容器３０の底３１のサイズと同一（または略同一）となることが多い。
【００８２】
ここで、制御部２３により取得される画像における円形領域は、時間の経過に応じて小さくなる。すなわち、容器３０に溜まっていく珈琲（液体）４１の量が増加するのに応じて、珈琲（液体）４１の表面が高くなるため、容器３０の形状に合わせて、珈琲（液体）４１の表面の領域（円形領域）は小さくなる。このため、図８（１）〜（８）に示すように、制御部２３は、その決定した円形領域（容器３０に溜まった珈琲（液体）４１の表面に相当する円形領域）に合わせて、領域Ａ〜Ｉのサイズを変更する。なお、領域Ａ〜Ｉのサイズについては、変更せずに、固定として判定処理を行うようにしてもよい。
【００８３】
次に、制御部２３は、時間ｔ１のタイミングで取得した画像における円形領域（容器３０に溜まった珈琲（液体）４１の表面に相当する円形領域）に含まれる画像について特徴量を取得する。具体的には、制御部２３は、時間ｔ１のタイミングで取得した画像における円形領域に含まれる各画像（図６（１）に示す領域Ａ〜Ｉに含まれる各画像）について特徴量を取得する。例えば、制御部２３は、領域Ａ〜Ｉに含まれる各画像について、珈琲の色に関する情報を特徴量として求める。例えば、制御部２３は、画像取得部２２により取得された画像に含まれる各画像における各画素を黒領域及び白領域の何れかに決定する。例えば、２値化処理（例えば、予め閾値を設定しておき、画素の値が閾値よりも大きければ白と判定し、小さければ黒に判定する処理）により決定することができる。なお、２値化処理に用いる閾値は、珈琲と泡を区別できる程度の値を設定することが好ましい。そして、制御部２３は、領域Ａ〜Ｉに含まれる各画像における黒領域及び白領域の割合を特徴量として求める。
【００８４】
次に、制御部２３は、領域Ａ〜Ｉに含まれる各画像のうちから、黒領域の割合が最も高い領域を決定する。図８（１）に示す例では、領域Ａ〜Ｉに含まれる各画像のうち、黒領域の割合が最も高い領域は、領域Ａである。このため、制御部２３は、時間ｔ１のタイミングで取得した画像について、黒領域の割合が最も高い領域として領域Ａを決定する。
【００８５】
以降も同様に、制御部２３は、時間ｔ２〜ｔ８のタイミングで取得した各画像（容器３０に溜まる珈琲の表面の画像）について、黒領域の割合が最も高い領域を決定する。そして、制御部２３は、時間ｔ１〜ｔ８のタイミングで取得した各画像について決定された特徴量（黒領域の割合が最も高い領域）を、時間ｔ１〜ｔ８に関連付けて記憶部２４に順次記憶する。この記憶例を図９（１）に示す。すなわち、図９（１）に示す記憶例は、図８（１）〜（８）に示す例についての記憶例である。
【００８６】
図９（２）には、図９（１）に示す特徴量（時間ｔ１〜ｔ８と領域Ａ〜Ｉとを関連付けた情報）と一致する特徴量を図６（２）に示す判定情報から抽出する場合の抽出例を示す。なお、図９（２）に示す判定情報は、図６（２）に示す判定情報と同一であり、図６（２）に示す判定情報のうちの一部を省略して示す。
【００８７】
次に、制御部２３は、その取得した特徴量に基づいて、音声出力部２５からの出力対象となる情報を決定する。具体的には、制御部２３は、その取得した特徴量（図９（１）に示す時間ｔ１〜ｔ８と領域Ａ〜Ｉとを関連付けた情報）と一致する特徴量を、図６（２）に示す判定情報から抽出する。例えば、図９（２）に示すように、図９（１）に示す特徴量は、破線の矩形５１内に示す特徴量と一致する。このため、制御部２３は、図９（２）に示す判定情報から、図９（１）に示す特徴量と一致する特徴量として、破線の矩形５１内に示す特徴量を抽出する。また、制御部２３は、その抽出された特徴量に対応する情報（出力対象となる情報）ＯＩとしてＯＩＸ１を決定する。
【００８８】
次に、制御部２３は、出力対象となる情報ＯＩとして決定されたＯＩＸ１に関連付けて記憶部２４に記憶されている音声情報６１に基づいて、音声出力部２５から音声を出力させる。例えば、図９（３）に示すように、ＯＩＸ１に関連付けられている音声情報６１（破線の矩形５２内に示す）に基づいて、「今日は雪だるまのようにじっくり待とう」の音声が音声出力部２５から出力される。この出力例については、図１０に示す。
【００８９】
［珈琲を淹れる場合に電子機器から音声情報を出力する例］
図１０は、第１の実施の形態における電子機器２０から音声情報を出力する場合の例を簡略化して示す図である。なお、図１０に示す例は、図８、図９に示す例により決定された音声情報を出力する例を示す。
【００９０】
上述したように、制御部２３は、ＯＩＸ１に関連付けられている音声情報（図９（３）に示す破線の矩形５２内）に基づいて、「今日は雪だるまのようにじっくり待とう」の音声を音声出力部２５から出力させる。これにより、珈琲抽出器１を用いて珈琲を淹れているユーザＰ１は、自ら理想とする珈琲を淹れ終わった後に、その抽出により取得された特徴量に基づく音声を聞くことができる。例えば、ユーザＰ１が珈琲を淹れる達人であっても、素人であっても、容器３０に溜まる珈琲の表面に表れる色や模様は、毎回異なることが多いと考えられる。そこで、このような珈琲の特徴を利用して、珈琲を抽出する場合に、抽出された珈琲を飲む楽しみとともに、その抽出時に取得された特徴量に基づく音声情報（珈琲やその抽出とは無関係の情報）を楽しむことができる。
【００９１】
［音声情報を出力する動作例］
図１１は、第１の実施の形態における電子機器２０による音声出力処理の一例を示すフローチャートである。図１１では、操作部２６の操作により電子機器２０の電源がオンされた後に、容器３０に溜まる珈琲の表面の画像に変化が生じた後の動作例を示す。
【００９２】
最初に、電子機器２０の画像取得部２２（図４に示す）は、電子機器２０の制御部２３（図４に示す）に基づいて、容器３０に溜まる珈琲が撮像された画像（画像データを含む）を順次取得する（ステップＳ１０１）。また、制御部２３は、画像取得部２２により取得された画像（容器３０に溜まる珈琲が撮像された画像（画像データを含む））を順次取得する（ステップＳ１０１）。
【００９３】
次に、制御部２３は、取得した画像情報を解析して特徴量を取得する（ステップＳ１０２）。例えば、制御部２３は、取得した画像における円形領域（容器３０に溜まった珈琲（液体）４１の表面に相当する円形領域）を決定する。次に、制御部２３は、その決定した円形領域に含まれる画像について特徴量を取得する。具体的には、制御部２３は、取得した画像における円形領域に含まれる各画像（図６（１）に示す領域Ａ〜Ｉに含まれる各画像）について特徴量（黒領域及び白領域の割合）を取得する。次に、制御部２３は、領域Ａ〜Ｉに含まれる各画像のうちから、黒領域の割合が最も高い領域を決定する。
【００９４】
次に、制御部２３は、取得した特徴量を経過時間に関連付けて記憶部２４に記憶する（ステップＳ１０３）。例えば、図９（１）に示すように、制御部２３は、時間ｔ１〜ｔ８のタイミングで取得した各画像について決定された特徴量（黒領域の割合が最も高い領域）を、時間ｔ１〜ｔ８に関連付けて記憶部２４に記憶する。
【００９５】
次に、制御部２３は、終了条件を満たすか否かを判断する（ステップＳ１０４）。そして、終了条件を満していない場合には、ステップＳ１０１に戻り、終了条件を満たす場合には、ステップＳ１０５に進む。
【００９６】
ここで、終了条件を満たすか否かを判断する判断基準として、例えば、所定時間が経過したか否かや、取得した画像情報に変化が生じない（または、ほとんど生じない）か否かを用いることができる。なお、所定時間は、例えば、電子機器２０の電源がオンされてからの経過時間や、電子機器２０の電源がオンされた後に、容器３０に溜まる珈琲の表面の画像に変化が生じてからの経過時間に基づいて判断することができる。また、所定時間は、予め設定されている時間とするようにしてもよく、ユーザ操作によりユーザの好みに応じた時間を設定するようにしてもよい。例えば、図８、図９に示す例のように、時間ｔ１〜ｔ８のタイミングで画像情報を取得する場合には、所定時間は時間ｔ８（または時間ｔ８の経過後）となる。また、取得した画像情報の変化が生じないことは、例えば、取得した画像情報を解析して、時系列で連続する画像同士を比較して差分が所定値以下となる時間が所定期間継続したことに基づいて判断することができる。すなわち、取得した画像情報の変化が生じないことは、容器３０に溜まる珈琲の表面の画像に変化がない時間が所定時間経過したか否かにより判断することができる。なお、レンズ２１が曇ることにより、変化が生じないと判断される可能性もある。
【００９７】
終了条件を満たす場合には（ステップＳ１０４）、制御部２３は、その取得した特徴量に基づいて、音声出力部２５からの出力対象となる情報を決定する（ステップＳ１０５）。例えば、制御部２３は、その取得した特徴量（例えば、図９（１）に示す時間ｔ１〜ｔ８と領域Ａ〜Ｉとを関連付けた情報）と一致する特徴量を、図６（２）に示す判定情報から抽出する。次に、制御部２３は、その抽出された特徴量に対応する情報（出力対象となる情報）ＯＩを決定し、決定された情報（出力対象となる情報ＯＩ）に関連付けて記憶部２４に記憶されている音声情報６１（図７に示す）を決定する。
【００９８】
次に、制御部２３は、その決定した音声情報に基づいて、音声出力部２５から音声を出力させる（ステップＳ１０６）。例えば、図１０に示すように、音声出力部２５から音声が出力される。
【００９９】
［他の判定情報を用いる例］
以上では、図６に示す判定情報を用いて、出力対象となる音声情報を決定する例を示したが、他の判定情報を用いて、出力対象となる音声情報を決定するようにしてもよい。そこで、ここでは、他の判定情報を用いる例を示す。
【０１００】
図１２は、第１の実施の形態における電子機器２０により出力対象の情報を決定する場合に用いられる各種情報の一例を示す図である。
【０１０１】
図１２（１）には、容器３０に溜まる珈琲の表面に関する画像パターンの一例を示す。図１２（１）に示すように、容器３０に溜まる珈琲の表面に発生すると想定される画像のパターンを、判定情報として記憶部２４に保持しておく。なお、図１２（１）では、説明を容易にするため、画像パターンを簡略化して示す。また、画像パターンの数Ｎ（ただし、Ｎは正の整数）は、記憶部２４の記憶容量に応じて増減するようにしてもよい。
【０１０２】
図１２（２）には、図１２（１）に示す判定情報（画像パターンＰＡ１〜ＰＡＮ）を用いて取得された情報に基づいて出力対象となる情報を決定する場合に用いる判定情報（テーブル）の一例を示す。図１２（２）に示す判定情報は、容器３０に溜まる珈琲に関する情報（例えば、容器３０に溜まった珈琲（液体）４１の表面）の遷移と、出力対象となる情報ＯＩとの対応関係を示す情報である。なお、図１２（２）に示す判定情報は、図６（２）に示す判定情報に対応するものであり、図６（２）と共通するものについては、図６（２）と同様であるため、ここでの説明を省略する。
【０１０３】
例えば、制御部２３（図４に示す）は、画像取得部２２（図４に示す）から取得した画像における円形領域（容器３０に溜まった珈琲（液体）４１の表面に相当する円形領域）を決定する。次に、制御部２３は、その決定した円形領域に含まれる画像と、図１２（１）に示す判定情報における各画像パターンＰＡ１〜ＰＡＮとを比較し、類似の程度が最も高い画像パターンを特徴量として抽出する。
【０１０４】
例えば、各画像パターンＰＡ１〜ＰＡＮの各画素は２値（黒、白）を表すものとする。また、制御部２３は、その決定した円形領域に含まれる画像における各画素を黒領域及び白領域の何れかに決定する（例えば、２値化処理）。次に、制御部２３は、その決定した円形領域に含まれる画像における各画素（黒、白）と、各画像パターンＰＡ１〜ＰＡＮの各画素（黒、白）とについて、対応する画素同士（円形領域における同じ位置の画素同士）を比較し、一致する画素の数を、画像パターンＰＡ１〜ＰＡＮ毎に算出する。次に、制御部２３は、一致する画素の数が最も多い画像パターンＰＡ１〜ＰＡＮを、類似の程度が最も高い画像パターンとして抽出する。
【０１０５】
次に、制御部２３は、抽出した画像パターンＰＡ１〜ＰＡＮを経過時間に関連付けて記憶部２４に記憶する。例えば、制御部２３は、時間ｔ１〜ｔ８のタイミングで取得した各画像について決定された特徴量（画像パターンＰＡ１〜ＰＡＮ）を、時間ｔ１〜ｔ８に関連付けて記憶部２４に記憶する。
【０１０６】
次に、制御部２３は、その取得した特徴量に基づいて、音声出力部２５からの出力対象となる情報を決定する。例えば、制御部２３は、その取得した特徴量（例えば、時間ｔ１〜ｔ８と画像パターンＰＡ１〜ＰＡＮとを関連付けた情報）と一致する特徴量を、図１２（２）に示す判定情報（テーブル）から抽出する。次に、制御部２３は、その抽出された特徴量に対応する情報（出力対象となる情報）ＯＩを決定し、決定された情報（出力対象となる情報ＯＩ）に関連付けて記憶部２４に記憶されている音声情報を決定する。
【０１０７】
［ドリップの速さを判定情報として用いる例］
例えば、容器３０に溜まる珈琲（液体）４１の表面に相当する円形領域のサイズの遷移を判定情報として用いることができる。すなわち、ドリップの速さを判定情報として用いることができる。
【０１０８】
例えば、容器３０に溜まる珈琲（液体）４１の表面に相当する円形領域の複数のサイズを、判定情報として記憶部２４に保持しておく。そして、制御部２３（図４に示す）は、画像取得部２２（図４に示す）から取得した画像における円形領域（容器３０に溜まった珈琲（液体）４１の表面に相当する円形領域）のサイズと、記憶部２４に保持されている複数のサイズとを比較し、類似の程度が最も高いサイズを特徴量として抽出する。次に、制御部２３は、抽出したサイズを経過時間に関連付けて記憶部２４に記憶する。次に、制御部２３は、その取得した特徴量に基づいて、音声出力部２５からの出力対象となる情報を決定する。例えば、制御部２３は、その取得した特徴量（例えば、時間ｔ１〜ｔ８とサイズとを関連付けた情報）と一致する特徴量を、図６（２）、図１２（２）に相当する判定情報から抽出する。次に、制御部２３は、その抽出された特徴量に対応する情報（出力対象となる情報）ＯＩを決定し、決定された情報（出力対象となる情報ＯＩ）に関連付けて記憶部２４に記憶されている音声情報を決定する。
【０１０９】
また、容器３０に溜まる珈琲（液体）４１の高さを判定情報として用いるようにしてもよい。この場合には、容器３０に溜まる珈琲（液体）４１の高さを取得するためのセンサ（例えば、超音波距離センサ、透明の容器３０の側面の画像を取得する画像センサ）を電子機器２０または珈琲抽出器１に設け、このセンサを用いて容器３０に溜まる珈琲（液体）４１の高さを取得するようにする。
【０１１０】
［落ちた波紋、水滴の進む向きを判定情報として用いる例］
例えば、容器３０に溜まる珈琲（液体）４１の表面に落ちる水滴（珈琲）の波紋や、容器３０に溜まる珈琲（液体）４１の表面に落ちた水滴（珈琲）が進む向き（表面を進む向き）、その進む長さ、容器３０に溜まる珈琲（液体）４１の表面に落ちる水滴（珈琲）により発生する泡の量等の各種情報を判定情報として用いることができる。すなわち、ドリップ中に発生する自然現象を判定情報として用いることができる。
【０１１１】
例えば、容器３０に溜まる珈琲（液体）４１の表面に落ちる水滴（珈琲）の波紋を検出する場合には、波紋を特定するための１または複数の波紋画像パターンを記憶部２４に保持しておく。そして、制御部２３（図４に示す）は、画像取得部２２（図４に示す）から取得した画像における円形領域（容器３０に溜まった珈琲（液体）４１の表面に相当する円形領域）の画像の中から、波紋画像パターンに一致する画像が検出された場合に、波紋が発生したことを検出する。この場合に、制御部２３は、波紋の種類（波紋画像パターンにより特定可能）、波紋が発生した位置（容器３０に溜まった珈琲（液体）４１の表面に相当する円形領域における位置）、波紋が発生したタイミング（経過時間）などを経過時間に関連付けて記憶部２４に記憶することができる。次に、制御部２３は、その取得した特徴量に基づいて、音声出力部２５からの出力対象となる情報を決定する。例えば、波紋の発生の有無、波紋の発生した回数、波紋の種類、波紋の発生時間、波紋の位置などの各種情報を、出力対象となる情報ＯＩと関連付けて記憶しておき、その各種情報に基づいて出力対象となる情報ＯＩを決定し、決定された情報（出力対象となる情報ＯＩ）に関連付けて記憶部２４に記憶されている音声情報を決定することができる。
【０１１２】
また、例えば、容器３０に溜まる珈琲（液体）４１の表面に落ちた水滴（珈琲）の進む向き、その進む長さを検出する場合には、その水滴を検出するための判定情報（例えば、時系列で連続する各画像において直線状に進む対象物を検出するための情報）を記憶部２４に保持しておく。そして、制御部２３（図４に示す）は、画像取得部２２（図４に示す）から取得した画像における円形領域（容器３０に溜まった珈琲（液体）４１の表面に相当する円形領域）の画像の中から、表面を進む水滴が発生したことを検出する。この場合に、制御部２３は、表面を進む水滴が発生した位置（容器３０に溜まった珈琲（液体）４１の表面に相当する円形領域における位置）、表面を進んだ水滴の長さ、表面を進む水滴が発生したタイミング（経過時間）などを経過時間に関連付けて記憶部２４に記憶することができる。次に、制御部２３は、その取得した特徴量に基づいて、音声出力部２５からの出力対象となる情報を決定する。例えば、表面を進む水滴の発生の有無、表面を進む水滴の発生した回数、表面を進む水滴の長さの合計、表面を進む水滴の発生時間、表面を進む水滴の位置などの各種情報を、出力対象となる情報ＯＩと関連付けて記憶しておき、その各種情報に基づいて出力対象となる情報ＯＩを決定し、決定された情報（出力対象となる情報ＯＩ）に関連付けて記憶部２４に記憶されている音声情報を決定することができる。
【０１１３】
また、例えば、容器３０に溜まる珈琲（液体）４１の表面に落ちる水滴（珈琲）により発生する泡の量を検出する場合には、図１２（１）に示す画像パターンの代わりに、泡の量を検出するための複数の画像パターンを記憶部２４に保持しておく。そして、図１２（１）に示す判定情報を用いた決定方法と同様に、音声情報を決定することができる。
【０１１４】
なお、以上で示した各判定情報は、一例であり、他の判定情報を用いるようにしてもよい。例えば、容器３０に溜まる珈琲（液体）４１の表面に落ちる水滴（珈琲）の位置（表面における位置）、その水滴の表面における広がりの程度、容器３０に溜まる珈琲（液体）４１の表面の濃さ（例えば、珈琲色の程度）、容器３０に溜まる珈琲（液体）４１の表面に落ちる水滴（珈琲）により発生する泡の分布、その泡の表面に占める割合、これらの各遷移等のドリップ中に発生する自然現象を判定情報として用いることができる。また、以上で示した各判定情報を組み合わせて判定を行うようにしてもよい。例えば、落ちた波紋、水滴の進む向きを組み合わせて判定を行うことができる。
【０１１５】
また、第１の実施の形態では、電子機器２０を一体で構成する例を示したが、複数の部材により電子機器２０を構成するようにしてもよい。例えば、レンズ２１及び画像取得部２２と、他の部分とを別体で構成し、画像取得部２２から制御部２３への画像情報の送信を有線または無線で行うようにしてもよい。また、電子機器２０を設置する位置は、図１及び図３に示す位置に限定されない。例えば、容器３０に溜まる珈琲（液体）４１の表面の画像をレンズ２１を介して取得することができれば、他の位置に設けるようにしてもよい。例えば、容器３０に溜まる珈琲（液体）４１の表面にレンズ２１が向くように、透明の容器３０の外側に電子機器２０を設置するようにしてもよい。ただし、容器３０に生じる熱の影響を防ぐため、断熱性部材等により断熱処理を施すことが好ましい。
【０１１６】
［第２の実施の形態：珈琲を淹れる場合に形成される色や模様を用いて音声情報及び画像情報を提供する例］
第１の実施の形態では、珈琲を淹れる場合に形成される色や模様を用いて音声情報を提供する例を示したが、他の情報を提供することも可能である。そこで、第２の実施の形態では、珈琲を淹れる場合に形成される色や模様を用いて音声情報及び画像情報を提供する例を示す。なお、第２の実施の形態は、第１の実施の形態の変形例であり、第１の実施の形態と共通する部分については、その説明の一部を省略する。
【０１１７】
［珈琲抽出器の外観構成例］
図１３は、第２の実施の形態における電子機器２２０が取り付けられる珈琲抽出器２００の外観構成の一例を示す斜視図である。図１３（１）には、珈琲抽出器２００の側面図を示し、図１３（１）には、珈琲抽出器２００の側面図（図１３（１）に示す矢印Ａの方向から見た場合の側面図）を示す。
【０１１８】
珈琲抽出器２００は、ドリッパー２１０と、電子機器２２０（図１４に示す）と、容器２３０と、スタンド２４０とを有する。なお、珈琲抽出器２００は、図１に示す珈琲抽出器１において、電子機器２０をドリッパー１０に設ける代わりに、電子機器２２０をスタンド２４０に設けたものである。また、容器２３０は、図１に示す容器３０と同様である。また、ドリッパー２１０は、図１、図３に示すドリッパー１０と略同様である。また、ここでは、第１の実施の形態における珈琲抽出器１と異なる点を中心に説明する。
【０１１９】
スタンド２４０は、ドリッパー２１０を支持するための支持台であり、平板状の部材をコの字形状（図１３（１）に示す）として形成することができる。例えば、スタンド２４０の上部（図１３（１）に示すフランジ部２１２が設置される部分）には、ドリッパー２１０の下部の脚部２１３の直径よりも大きく、ドリッパー２１０のフランジ部２１２の直径よりも小さい形状（例えば、円形状）の孔が設けられている。ドリッパー２１０をスタンド２４０に設置する場合には、ドリッパー２１０の下部の脚部２１３が、スタンド２４０の孔に入るようにして設置することができる。
【０１２０】
また、スタンド２４０の上部（図１３（１）に示すフランジ部２１２が設置される部分）の孔よりも外側には、レンズ２２１が配置される。なお、ドリッパー２１０の孔（脚部２１３の内側）から落下する液体（珈琲）がかからない位置であって、その液体の熱の影響をあまり受けない位置にレンズ２２１を設置することが好ましい。
【０１２１】
また、スタンド２４０の中部（背面）には、ユーザインタフェース２２９が配置される。ユーザインタフェース２２９は、例えば、各種情報を表示するとともに、ユーザ操作を受け付けるタッチパネルにより構成することができる。なお、スタンド２４０の素材として、例えば、耐熱ガラス、陶器、金属、セラミックス、樹脂、木等を用いることができる。
【０１２２】
［電子機器の機能構成例］
図１４は、第２の実施の形態における電子機器２２０の機能構成例を示すブロック図である。
【０１２３】
電子機器２２０は、レンズ２２１と、画像取得部２２２と、制御部２２３と、記憶部２２４と、音声出力部２２５と、ユーザインタフェース２２９とを有する。なお、電子機器２２０は、図４に示す電子機器２０においてユーザインタフェース２２９を追加したものであり、他の部分は、図４に示す電子機器２０に共通する。このため、ここでは、図４に示す電子機器２０と異なる点を中心に説明する。なお、図１３に示すように、レンズ２２１及び画像取得部２２２は、スタンド２４０の上部に設置され、ユーザインタフェース２２９は、スタンド２４０の中部（背面）に設置される。また、他の部分については、ユーザインタフェース２２９と一体として、スタンド２４０の中部（背面）に設置するようにしてもよく、スタンド２４０の底部や上部に設置するようにしてもよい。
【０１２４】
ユーザインタフェース２２９は、入力部（操作受付部）２２６及び表示部２２７により構成される。
【０１２５】
入力部２２６は、ユーザにより行われた操作入力を受け付ける操作受付部であり、受け付けられた操作入力に応じた操作情報を制御部２２３に出力する。入力部２２６は、例えば、タッチパネル、キーボード、マウス、センサ（例えば、タッチインタフェース）により実現される。
【０１２６】
表示部２２７は、制御部２２３の制御に基づいて各種情報を出力する表示部である。表示部２２７として、例えば、有機ＥＬ（Electro Luminescence）パネル、ＬＣＤ（Liquid Crystal Display）パネル等の表示パネルを用いることができる。このように、入力部２２６及び表示部２２７については、使用者がその指を表示面に接触または近接することにより操作入力を行うことが可能なタッチパネルを用いて一体で構成することができる。ただし、入力部２２６及び表示部２２７については、別体で構成するようにしてもよく、入力部２２６については、操作部材により操作を受け付けるようにしてもよい。また、タッチパネル等のユーザインタフェース２２９とは別体の操作部材を設け、この操作部材により操作を受け付けるようにしてもよい。
【０１２７】
［出力対象の情報例］
図１５は、第２の実施の形態における電子機器２２０により出力対象となる情報の一例を示す図である。なお、この例では、図６（１）（２）に示す判定情報を用いる例を示す。
【０１２８】
図１５には、図６（２）に示す判定情報を用いて決定される出力対象情報（出力対象となる情報）の一例を示す。例えば、出力対象となる情報ＯＩとしてＯＩ１が決定された場合には、サンタに関する情報（音声情報６１、画像情報６２）が出力対象となる。サンタに関する情報は、例えば、「今日はあこがれのサンタの夢をみよう」の音声を出力するための情報（音声情報６１）や、サンタの写真や図形化された画像を表示するための情報（画像情報６２）である。なお、図１５では、説明を容易にするため、音声出力の対象となる文字、表示対象となる画像を簡易的に示す。なお、これらの出力例については、図１７を参照して説明する。
【０１２９】
［珈琲を淹れる場合に形成される色や模様を用いて出力対象の情報を決定する例］
図１６は、第２の実施の形態における電子機器２２０により出力対象の情報を決定する決定例を示す図である。なお、図１６に示す例は、図９に示す例と同様に、珈琲抽出器２００を用いて珈琲を抽出する際における経過時間として、時間ｔ１〜ｔ８を用いる場合の例を示す。また、図１６（１）（２）は、図９（１）（２）と同一である。
【０１３０】
第１の実施の形態で示したように、制御部２２３（図１４に示す）は、図１６（２）に示す判定情報から、図１６（１）に示す特徴量と一致する特徴量として、破線の矩形５１内に示す特徴量を抽出する。また、制御部２２３は、その抽出された特徴量に対応する情報（出力対象となる情報）ＯＩとしてＯＩＸ１を決定する。
【０１３１】
次に、制御部２２３は、出力対象となる情報ＯＩとして決定されたＯＩＸ１に関連付けて記憶部２２４に記憶されている音声情報６１に基づいて、音声出力部２２５から音声を出力させる。また、制御部２２３は、出力対象となる情報ＯＩとして決定されたＯＩＸ１に関連付けて記憶部２２４に記憶されている画像情報６２に基づいて、表示部２２７に画像を表示させる。
【０１３２】
例えば、図１６（３）に示すように、ＯＩＸ１に関連付けられている音声情報６１（破線の矩形５４内に示す）に基づいて、「今日は雪だるまのようにじっくり待とう」の音声が音声出力部２２５から出力される。また、例えば、図１６（３）に示すように、ＯＩＸ１に関連付けられている画像情報６２（破線の矩形５４内に示す）に基づいて、サンタの画像が表示部２２７に表示される。この出力例については、図１７に示す。
【０１３３】
［珈琲を淹れる場合に電子機器から音声情報及び画像情報を出力する例］
図１７は、第２の実施の形態における電子機器２２０から音声情報及び画像情報を出力する場合の例を簡略化して示す図である。なお、図１７に示す例は、図８、図１６に示す例により決定された音声情報を出力する例を示す。
【０１３４】
上述したように、制御部２２３は、ＯＩＸ１に関連付けられている音声情報６１（図１６（３）に示す破線の矩形５４内）に基づいて、「今日は雪だるまのようにじっくり待とう」の音声を音声出力部２５から出力させる。また、制御部２２３は、ＯＩＸ１に関連付けられている画像情報６２（図１６（３）に示す破線の矩形５４内）に基づいて、サンタの画像を表示部２２７に表示させる。これにより、珈琲抽出器２００を用いて珈琲を淹れているユーザＰ１は、自ら理想とする珈琲を淹れ終わった後に、その抽出により取得された特徴量に基づく音声や画像を楽しむことができる。このように、音声とともに、画像を表示させることにより、ユーザＰ１は、その抽出により取得された特徴量に基づく情報を視覚的にも楽しむことができる。なお、図１７では、音声及び画像を同時に出力する例を示すが、音声及び画像を異なるタイミングで出力するようにしてもよく、画像のみを出力するようにしてもよい。
【０１３５】
［音声情報及び画像情報を出力する動作例］
図１８は、第２の実施の形態における電子機器２２０による情報出力処理の一例を示すフローチャートである。なお、図１８に示すステップＳ１１２〜Ｓ１１５は、図１１に示すステップＳ１０１〜Ｓ１０４に対応する。このため、ここでは、図１１に示す例と異なる点を中心に説明する。
【０１３６】
最初に、電子機器２２０の制御部２２３は、開始操作があったか否かを判断する（ステップＳ１１１）。例えば、ユーザインタフェース２２９において開始ボタン（図１３（２）に示す）のタッチ操作があったか否かが判断される。開始操作があった場合には（ステップＳ１１１）、ステップＳ１１２に進む。開始操作がない場合には（ステップＳ１１１）、監視を継続して行う。
【０１３７】
上述したように、ステップＳ１１２〜Ｓ１１５は、図１１に示すステップＳ１０１〜Ｓ１０４に対応する。
【０１３８】
ここで、ステップＳ１１５の終了条件を満たすか否かを判断する判断基準として、第１の実施の形態で示した判断基準以外に、例えば、ユーザによる終了操作があったか否かを判断するようにしてもよい。例えば、ユーザインタフェース２２９において開始ボタン（図１３（２）に示す）のタッチ操作があった後に終了ボタンを表示させ、この終了ボタンのタッチ操作があった場合に終了条件を満たすと判断するようにしてもよい。
【０１３９】
終了条件を満たす場合には（ステップＳ１１５）、制御部２２３は、その取得した特徴量に基づいて、出力対象となる情報を決定する（ステップＳ１１６）。すなわち、制御部２２３は、決定された情報（出力対象となる情報ＯＩ）に関連付けて記憶部２２４に記憶されている音声情報及び画像情報を決定する。
【０１４０】
次に、制御部２２３は、その決定した音声情報に基づいて、音声出力部２２５から音声を出力させるとともに、その決定した画像情報に基づいて、ユーザインタフェース２２９（表示部２２７）に画像を表示させる（ステップＳ１１７）。例えば、図１７に示すように、音声出力部２２５から音声が出力され、ユーザインタフェース２２９（表示部２２７）に画像が表示される。
【０１４１】
［第３の実施の形態：外部の機器において音声情報及び画像情報を出力する例］
第１、２の実施の形態では、珈琲抽出器に取り付けられる電子機器により音声情報及び画像情報を出力する例を示した。ただし、珈琲抽出器以外の機器から音声情報及び画像情報を出力するようにしてもよい。これにより、珈琲抽出器に取り付けられる電子機器には、音声出力部及び表示部等を設けなくてもよいため、電子機器の製造コストを低減させることができる。なお、第３の実施の形態は、第１、２の実施の形態の変形例であり、第１、２の実施の形態と共通する部分については、その説明の一部を省略する。
【０１４２】
［電子機器の機能構成例］
図１９は、第３の実施の形態における電子機器３２０の機能構成例を示すブロック図である。
【０１４３】
電子機器３２０は、レンズ３２１と、画像取得部３２２と、制御部３２３と、記憶部３２４と、通信部３２５とを有する。なお、電子機器３２０は、図４に示す電子機器２０において通信部３２５を追加するとともに、音声出力部２５を省略したものであり、他の部分は、図４に示す電子機器２０、図１４に示す電子機器２２０に共通する。このため、ここでは、図４に示す電子機器２０、図１４に示す電子機器２２０と異なる点を中心に説明する。なお、図１９では、図示を省略するが、音声出力部やユーザインタフェースを設けるようにしてもよい。
【０１４４】
通信部３２５は、制御部３２３の制御に基づいて、他の機器との間で、有線回線または無線回線を介して、各種情報のやりとりを行うものである。例えば、無線通信を利用して各種情報のやりとりを行う場合には、通信部３２５は、アンテナ（図示せず）を介して、電波の送受信を行う。例えば、通信部３２５は、無線ＬＡＮ（Local Area Network）（例えば、Ｗｉ−Ｆｉ（Wireless Fidelity））、ＮＦＣ（Near Field Communication）、Ｂｌｕｅｔｏｏｔｈ（登録商標）、赤外線、携帯電波等により無線通信を行うことができる。なお、通信部３２５は、例えば、アンテナを備え、無線通信機能を備える通信モジュールや、有線通信機能を備える通信モジュールにより実現される。
【０１４５】
［外部の機器の外観構成例］
図２０は、第３の実施の形態における外部の機器（電子機器３５０、３６０）の外観構成の一例を示す斜視図である。図２０（１）には、携帯型の電子機器３５０を示す。電子機器３５０は、携帯型の情報処理装置であり、例えば、スマートフォン、タブレット端末、パーソナルコンピュータ等である。図２０（２）には、据え置き型の電子機器３６０を示す。電子機器３６０は、据え置き型のスピーカ装置であり、例えば、人工知能（ＡＩ（Artificial Intelligence））を搭載したＡＩスピーカ、無線通信機能を有するスピーカ等である。
【０１４６】
［電子機器の機能構成例］
図２１は、第３の実施の形態における電子機器３５０の機能構成例を示すブロック図である。なお、図２０に示す電子機器３６０の機能構成については、電子機器３５０と略同様であるため、ここでの説明を省略する。
【０１４７】
電子機器３５０は、通信部３５１と、制御部３５２と、記憶部３５３と、音声出力部３５４と、ユーザインタフェース３５７（入力部３５５、表示部３５６）と、位置情報取得部３５８とを有する。なお、電子機器３５０における各部は、図４に示す電子機器２０、図１４に示す電子機器２２０における同一名称の各部に対応するものである。このため、ここでは、図４に示す電子機器２０、図１４に示す電子機器２２０と異なる点を中心に説明する。なお、電子機器３５０における通信部３５１は、所定範囲内に存在する電子機器との間で無線通信を行うとともに、携帯電話会社等の通信事業者が設置する基地局を介して所定のネットワーク（例えば、インターネット）に接続して無線通信を行うことができる。
【０１４８】
位置情報取得部３５８は、電子機器３５０が存在する位置に関する位置情報を取得するものであり、取得した位置情報を制御部３５２に出力する。位置情報取得部３５８は、例えば、ＧＰＳ（Global Positioning System：全地球測位システム）信号を受信してそのＧＰＳ信号に基づいて位置情報を算出するＧＰＳ受信機により実現することができる。また、その算出された位置情報には、ＧＰＳ信号の受信時における緯度、経度、高度等の位置に関する各データが含まれる。また、他の位置情報の取得方法により位置情報を取得する位置情報取得装置を用いるようにしてもよい。例えば、周囲に存在する無線ＬＡＮ（Local Area Network）によるアクセスポイント情報を用いて位置情報を導き出し、この位置情報を取得する位置情報取得装置を用いるようにしてもよい。
【０１４９】
［電子機器以外の外部機器から音声情報及び画像情報を出力する場合の通信］
図２２は、第３の実施の形態における電子機器３２０及び電子機器３５０による通信処理例を示すフローチャートである。なお、図２２に示すステップＳ１２２〜Ｓ１２６は、図１８に示すステップＳ１１２〜Ｓ１１６に対応する。このため、ここでは、図１８に示す例と異なる点を中心に説明する。また、電子機器３２０、３５０には、図２２に示す各処理を実現するためのアプリケーション（プログラム）が予め設定されているものとする。
【０１５０】
最初に、電子機器３２０の制御部３２３は、開始指示を検出する（ステップＳ１２１）。この開始指示は、電子機器３２０に開始操作部材（図示せず）を設ける場合には、その開始操作部材をユーザが操作したことにより検出される。また、ユーザが電子機器３５０を用いて開始操作を行い、この開始操作に応じて電子機器３５０から電子機器３２０に開始指示情報を送信することも可能である。この場合には、電子機器３５０からの開始指示情報を受信したことにより開始指示が検出される。また、開始指示を検出するためのセンサ（例えば、人検知センサ、温度センサ、水滴センサ、振動センサ）を電子機器３２０に設け、このセンサにより自動で開始指示を検出するようにしてもよい。
【０１５１】
上述したように、ステップＳ１２２〜Ｓ１２６は、図１８に示すステップＳ１１２〜Ｓ１１６に対応する。
【０１５２】
制御部３２３は、出力対象となる情報（音声情報及び画像情報）を決定する（ステップＳ１２６）。次に、通信部３２５は、制御部３２３の制御に基づいて、その決定した音声情報及び画像情報を電子機器３５０に送信する（ステップＳ１２７）。
【０１５３】
電子機器３５０の通信部３５１は、電子機器３２０から送信された情報（音声情報及び画像情報）を受信する（ステップＳ１２８）。次に、電子機器３５０の制御部３５２は、受信した情報（音声情報及び画像情報）を記憶部３５３に記憶する（ステップＳ１２９）。そして、電子機器３５０の制御部３５２は、受信した情報（音声情報及び画像情報）を出力する（ステップＳ１２９）。すなわち、電子機器３５０の制御部３５２は、受信した音声情報に基づいて、音声出力部３５４から音声を出力させるとともに、受信した画像情報に基づいて、ユーザインタフェース３５７（表示部３５６）に画像を表示させる（ステップＳ１２９）。例えば、図２３（１）に示すように、音声出力部３５４から音声が出力され、ユーザインタフェース３５７（表示部３５６）に画像が表示される。
【０１５４】
［珈琲抽出器に取り付けられる電子機器以外の機器から音声情報及び画像情報を出力する例］
図２３は、第３の実施の形態における電子機器２２０以外の機器（電子機器３５０、３６０）から音声情報及び画像情報を出力する場合の例を簡略化して示す図である。図２３（１）には、電子機器３５０から音声情報及び画像情報を出力する場合の例を示す。また、図２３（２）には、電子機器３６０から音声情報及び画像情報を出力する場合の例を示す。なお、図２３に示す例は、図８、図１６に示す例により決定された音声情報を出力する例を示す。
【０１５５】
また、電子機器３５０、３６０には、図２２に示す各処理を実現するためのアプリケーション（プログラム）が予め設定されているものとする。
【０１５６】
第２の実施の形態で示したように、電子機器３２０の制御部３２３は、ＯＩＸ１に関連付けられている音声情報６１（図１６（３）に示す破線の矩形５４内）及び画像情報６２（図１６（３）に示す破線の矩形５４内）を、出力対象の情報として決定する。次に、電子機器３２０の制御部３２３は、出力対象の情報として決定した音声情報６１（図１６（３）に示す破線の矩形５４内）及び画像情報６２（図１６（３）に示す破線の矩形５４内）を、通信部３２５から外部の機器に無線送信するための制御を行う。
【０１５７】
例えば、電子機器３５０から音声情報及び画像情報を出力させる場合には、電子機器３２０の制御部３２３は、出力対象の情報として決定した音声情報６１（図１６（３）に示す破線の矩形５４内）及び画像情報６２（図１６（３）に示す破線の矩形５４内）を、通信部３２５から電子機器３５０に無線送信するための制御を行う。これらの各情報を受信した電子機器３５０の制御部３５２は、受信した音声情報に基づいて、「今日は雪だるまのようにじっくり待とう」の音声を音声出力部３５４から出力させる。また、制御部３５２は、受信した画像情報に基づいて、サンタの画像をユーザインタフェース３５７（表示部３５６）に表示させる。これにより、珈琲抽出器３００を用いて珈琲を淹れているユーザＰ１は、自ら理想とする珈琲を淹れ終わった後に、その珈琲を味わいながら、珈琲抽出器３００から離れた場所でも、その抽出により取得された特徴量に基づく音声や画像を楽しむことができる。また、例えば、ユーザＰ１は、音声出力された音声や、表示されたサンタの画像を電子機器３５０の記憶部３５３に記憶しておき、後でも楽しむことができる。
【０１５８】
また、例えば、電子機器３６０から音声情報を出力させる場合には、電子機器３２０の制御部３２３は、出力対象の情報として決定した音声情報６１（図１６（３）に示す破線の矩形５４内）を、通信部３２５から電子機器３６０に無線送信するための制御を行う。この音声情報を受信した電子機器３６０の制御部は、受信した音声情報に基づいて、「今日は雪だるまのようにじっくり待とう」の音声を音声出力部から出力させる。これにより、珈琲抽出器３００を用いて珈琲を淹れているユーザＰ１は、自ら理想とする珈琲を淹れ終わった後に、その珈琲を味わいながら、珈琲抽出器３００から離れた場所でも、その抽出により取得された特徴量に基づく音声を楽しむことができる。
【０１５９】
以上では、電子機器３２０との間で無線通信を直接行うことができる電子機器３５０、３６０から音声や画像を出力させる例を示した。ただし、電子機器３２０との間で無線通信を直接行うことができない機器から音声や画像を出力させるようにしてもよい。例えば、電子機器３２０において、出力対象の情報として決定された各情報（音声情報、画像情報）を、通信部３２５から電子機器３５０、３６０に無線送信し、その各情報（音声情報、画像情報）を受信した電子機器３５０、３６０は、所定の機器（例えば、電子機器３２０から送信先として指示された機器や、送信先として予め設定されている機器）に対して、電子機器３２０から受信した各情報（音声情報、画像情報）を転送する。例えば、電子機器３５０、３６０は、無線通信を利用して、所定のネットワーク（例えば、インターネット）に接続して、電子機器３２０から受信した各情報（音声情報、画像情報）を所定の送信先に送信することができる。これにより、例えば、珈琲抽出器３００を用いて珈琲を淹れているユーザＰ１は、自ら理想とする珈琲を淹れ終わった後に、珈琲抽出器３００から遠く離れた場所にいる人物に対して、その抽出により取得された特徴量に基づく音声や画像を提供（例えば、その人物が所持する電子機器から提供）することができる。
【０１６０】
［第４の実施の形態：珈琲抽出器に取り付けられる電子機器で行う処理の一部を他の電子機器で処理させる例］
第１乃至第３の実施の形態では、珈琲抽出器に取り付けられる電子機器により、出力対象となる情報を決定する例を示した。ここで、珈琲抽出器に取り付けられる電子機器には、比較的簡易的な処理のみを行わせ、他の処理については、処理能力が高い他の機器に行わせることも考えられる。そこで、第４の実施の形態では、珈琲抽出器に取り付けられる電子機器で行う処理の一部を他の電子機器で処理させる例を示す。
【０１６１】
第４の実施の形態では、第３の実施の形態で示した電子機器３２０（図１９に示す）及び電子機器３５０（図２１に示す）を参照して説明する。
【０１６２】
例えば、珈琲抽出器３００（図２３に示す）に取り付けられる電子機器３２０（図１９に示す）は、容器３３０（図２３に示す）に溜まる珈琲（液体）の表面の画像を取得する処理を行う。そして、電子機器３２０は、取得した画像情報（容器３３０に溜まる珈琲（液体）の表面の画像）を、定期的または不定期に通信部３２５（図１９に示す）から電子機器３５０に順次送信する。
【０１６３】
電子機器３５０の記憶部３５３（図２１に示す）には、第１乃至第３の実施の形態で示した判定情報（例えば、図６（１）（２）に示す各判定情報、図１２（１）（２）に示す各判定情報）及び出力対象情報（例えば、図７に示す出力対象情報、図１５に示す出力対象情報）を記憶させておく。また、電子機器３５０の制御部３５２（図２１に示す）は、通信部３５１を介して電子機器３２０から受信した画像情報（容器３３０に溜まる珈琲（液体）の表面の画像）を記憶部３５３に順次記憶する。次に、電子機器３５０の制御部３５２（図２１に示す）は、記憶部３５３に記憶されている判定情報を用いて、電子機器３２０から受信した画像情報（容器３３０に溜まる珈琲（液体）の表面の画像）についての出力対象情報の決定処理を行う。次に、電子機器３５０の制御部３５２は、決定処理により決定された各情報の出力を行う。
【０１６４】
例えば、図２３（１）に示すように、電子機器３５０の制御部３５２は、決定処理により決定された音声情報に基づいて、「今日は雪だるまのようにじっくり待とう」の音声を音声出力部３５４から出力させる。また、制御部３５２は、決定処理により決定された画像情報に基づいて、サンタの画像をユーザインタフェース３５７（表示部３５６）に表示させる。
【０１６５】
［複数の電子機器において一連の処理を行う場合の通信例］
図２４は、第４の実施の形態における電子機器３２０及び電子機器３５０による通信処理例を示すフローチャートである。なお、図２４に示すステップＳ１３１、Ｓ１３３、Ｓ１３５、Ｓ１４３〜Ｓ１４６は、図２２に示すステップＳ１２１〜Ｓ１２６に対応する。このため、ここでは、図２２に示す例と異なる点を中心に説明する。
【０１６６】
電子機器３２０の制御部３２３は、開始指示を検出した場合には（ステップＳ１３１）、動作の開始を通知するための開始情報を通信部３２５から電子機器３５０に送信する（ステップＳ１３２）。
【０１６７】
電子機器３５０の制御部３５２は、その開始情報を通信部３５１を介して受信すると、電子機器３２０の動作の開始を把握する（ステップＳ１４１）。
【０１６８】
電子機器３２０の制御部３２３は、画像取得部３２２により取得された画像（容器３３０に溜まる珈琲が撮像された画像（画像データを含む））を取得し（ステップＳ１３３）、取得した画像情報を電子機器３５０に送信する（ステップＳ１３４）。この場合に、電子機器３２０から電子機器３５０への画像情報の送信は、定期的に行うようにしてもよく、不定期に行うようにしてもよい。
【０１６９】
図２４に示すステップＳ１３５は、図２２に示すステップＳ１２５に対応する。
【０１７０】
電子機器３５０の制御部３５２は、電子機器３２０から画像情報を受信すると（ステップＳ１４２）、受信した画像情報を解析して特徴量を取得する（ステップＳ１４３）。なお、図２４に示すステップＳ１４３〜Ｓ１４６は、図２２に示すステップＳ１２３〜Ｓ１２６に対応する。
【０１７１】
ここで、ステップＳ１４５の終了条件を満たすか否かを判断する判断基準として、第１乃至第３の実施の形態で示した判断基準以外に、例えば、画像情報の受信を所定時間以上継続して電子機器３２０から受信していないことを判断基準とするようにしてもよい。例えば、画像情報の受信を所定時間以上継続して電子機器３２０から受信していない場合には、電子機器３５０の制御部３５２は、終了条件を満たすと判断することができる（ステップＳ１４５）。
【０１７２】
電子機器３５０の制御部３５２は、出力対象となる情報（音声情報及び画像情報）を決定する（ステップＳ１４６）。次に、電子機器３５０の制御部３５２は、その決定した音声情報及び画像情報を出力する（ステップＳ１４７）。すなわち、電子機器３５０の制御部３５２は、その決定した音声情報に基づいて、音声出力部３５４から音声を出力させるとともに、その決定した画像情報に基づいて、ユーザインタフェース３５７（表示部３５６）に画像を表示させる（ステップＳ１４７）。例えば、図２３に示すように、音声出力部３５４から音声が出力され、ユーザインタフェース３５７（表示部３５６）に画像が表示される。
【０１７３】
なお、以上では、図６、図１２に示す各判定情報、図７、図１５に示す出力対象情報を電子機器２０、２２０、３２０の記憶部２４、２２４、３２４に予め記憶しておく例を示した。ただし、これらの各情報を外部から取得して用いるようにしてもよい。例えば、有線回線または無線回線を介して他の機器との通信が可能な通信部（例えば、図１９に示す通信部３２５）を電子機器に設け、この通信部を介して外部機器（または、所定のネットワーク（例えば、インターネット））に接続し、その各情報の全部または一部を外部機器から取得するようにしてもよい。この場合に、珈琲抽出器（電子機器）を使用する毎に、各情報を取得して用いるようにしてもよく、定期的または不定期に各情報を取得して用いるようにしてもよい。
【０１７４】
また、以上では、図６、図１２に示す各判定情報、図７、図１５に示す出力対象情報を電子機器２０、２２０、３２０（または近接する他の機器）の記憶部２４、２２４、３２４に予め記憶しておき、電子機器２０、２２０、３２０（または近接する他の機器）がコンテンツを出力するための各処理を行う例を示した。ただし、これらの各情報を遠隔地に存在する外部機器（例えば、サーバ）に記憶させておき、その外部機器にコンテンツを出力するための各処理を行わせ、電子機器２０、２２０、３２０（または近接する他の機器）には、珈琲の抽出に関する情報の取得と、コンテンツの出力のみを行わせるようにしてもよい。
【０１７５】
また、例えば、特定の義業者（例えば、特定のコンテンツや割引クーポンを提供する会社）と提携し、出力対象画像を出力するようにしてもよい。例えば、特定の義業者から、特定の画像の遷移（例えば、画像パターン（図１２（１）に示す））の提供を受け、これと一致した場合に、特定の義業者から提供される情報（例えば、割引クーポン、特定コンテンツ）を、電子機器から出力するようにしてもよい。
【０１７６】
また、ユーザが出力対象情報を登録しておき、登録されている出力対象情報の中から、出力対象となる情報を決定処理により決定するようにしてもよい。例えば、珈琲抽出器を用いて珈琲を淹れた日の出力対象情報（例えば、サンタ）と、その日の行動履歴（例えば、遊園地に行った、英語の試験を受けた等）とを関連付けて登録（記憶）しておく。そして、後日に、珈琲抽出器を用いて珈琲を淹れた際に出力対象として決定された情報がその登録された出力対象情報（例えば、サンタ）と同一となる場合には、その出力対象情報（例えば、サンタ）及び登録した日の行動履歴に関する情報（例えば、遊園地に行った、英語の試験を受けた等）を出力するようにする。これにより、過去に同一のパターンとなる珈琲を淹れた日に何をしたのかを思い出しながら、珈琲の味を楽しむことができる。また、過去に同一のパターンとなる珈琲を入れた日と同じ気持ちになり、いろいろなことを思いながら、珈琲を楽しむことができる。
【０１７７】
また、人工知能（ＡＩ（Artificial Intelligence））を利用して出力対象となるコンテンツを決定するようにしてもよい。例えば、珈琲抽出器を用いて珈琲を淹れた際のパターン（例えば、珈琲の表面の遷移のパターン）と、その日の気分や体調（例えば、スマートフォン等の検索や移動履歴により判定）とについて機械学習を利用して判定情報を生成し、この生成された判定情報を用いて出力対象となるコンテンツを決定することができる。例えば、気分の良いときには笑顔のコンテンツを出力し、気分の悪いときには元気がでるコンテンツを出力させることができる。このように、例えば、気分の良いときに淹れた珈琲の表面と、気分の悪いときに淹れた珈琲の表面とに関する何らかの特徴量を利用してコンテンツを出力し、そのときの気分を推定することができる。
【０１７８】
［第５の実施の形態：複数の珈琲抽出器からの情報を集計する例］
第１乃至第４の実施の形態では、１台の珈琲抽出器により取得された情報（珈琲の抽出に関する情報）を用いて音声情報や画像情報の出力を行う例を示した。近年では、世界各地の家庭等において珈琲抽出器が広く普及している。そして、各家庭において、各家庭好みの珈琲が淹れられている。そこで、各家庭において淹れられた珈琲に関する情報を収集して、この情報に基づいて、各家庭に何らかの情報を提供することができれば、珈琲を淹れる楽しみを高めることができると考えられる。同様に、家庭以外でも職場や学校等で淹れられた珈琲に関する情報を収集して、この情報に基づいて、各関係者に何らかの情報を提供することができれば、珈琲を淹れる楽しみを高めることができると考えられる。そこで、第５の実施の形態では、複数の珈琲抽出器からの情報を集計して用いる例を示す。
【０１７９】
［通信システムの構成例］
図２５は、第５の実施の形態における通信システム４００のシステム機能構成例を示す図である。
【０１８０】
通信システム４００は、サーバ４１０と、ネットワーク４２０と、電子機器４３１、４４１、４４２、４５１、４５２とを有する。なお、通信システム４００を構成する機器として、無線通信を行うための基地局やアクセスポイント等も想定されるが、ここでの図示及び説明を省略する。
【０１８１】
サーバ４１０は、電子機器４３１、４４１、４５１のそれぞれから送信される情報を集計して管理するサーバ（情報処理装置）であり、管理する情報を用いて各種の情報を電子機器４３１、４４１、４４２、４５１、４５２のそれぞれに提供する。
【０１８２】
ネットワーク４２０は、公衆回線網、インターネット等のネットワークである。
【０１８３】
電子機器４３１は、珈琲抽出器４３０に取り付けられ、電子機器４４１は、珈琲抽出器４４０に取り付けられ、電子機器４５１は、珈琲抽出器４５０に取り付けられる。また、電子機器４４２は、電子機器４４１との間で無線通信を行い、電子機器４５２は、電子機器４５１との間で無線通信を行う。
【０１８４】
また、電子機器４３１は、通信部（図１９に示す通信部３２５に相当）を有し、無線通信を利用してネットワーク４２０に接続して各情報のやり取りを行うことができる。また、電子機器４４１、４５１のそれぞれは、通信部（図１９に示す通信部３２５に相当）を有し、無線通信を利用して他の機器（電子機器４４２、４５２）との間で情報のやり取りを行うことができる。そして、電子機器４４１、４５１のそれぞれは、無線通信を利用して他の機器（電子機器４４２、４５２）を経由してネットワーク４２０に接続して各情報のやり取りを行うことができる。
【０１８５】
［電子機器の機能構成例］
図２６は、第５の実施の形態における電子機器４３１の機能構成例を示すブロック図である。なお、図２５に示す電子機器４４１、４５１の機能構成については、ユーザインタフェースを備えない点以外は、電子機器４３１と略同様であるため、ここでの説明を省略する。また、図２５に示す電子機器４４２、４５２の機能構成についても、電子機器４３１と略同様であるため、ここでの説明を省略する。
【０１８６】
電子機器４３１は、レンズ４８１と、画像取得部４８２と、制御部４８３と、記憶部４８４と、音声出力部４８５と、ユーザインタフェース４８８（入力部４８６、表示部４８７）と、通信部４８９と、を有する。なお、電子機器４３１における各部は、図４に示す電子機器２０、図１４に示す電子機器２２０、図１９に示す電子機器３２０における同一名称の各部に対応するものである。このため、ここでは、図４に示す電子機器２０、図１４に示す電子機器２２０、図１９に示す電子機器３２０と異なる点を中心に説明する。なお、電子機器４３１における通信部４８９は、所定範囲内に存在する電子機器との間で無線通信を行うとともに、携帯電話会社等の通信事業者が設置する基地局を介して所定のネットワーク（例えば、インターネット）に接続して通信をすることができる。
【０１８７】
位置情報設定部４９０は、電子機器４３１が存在する位置に関する位置情報を設定するものであり、設定された位置情報を制御部４８３に出力する。位置情報設定部４９０は、例えば、電子機器４３１が取り付けられている珈琲抽出器４３０が設置されている位置に関する位置情報（例えば、緯度及び経度、地域名（国、行政区画））を記憶する。例えば、ユーザ操作や位置情報取得部（例えば、ＧＰＳ受信機を内蔵）により珈琲抽出器４３０が設置されている位置に関する位置情報が取得される。
【０１８８】
［サーバの機能構成例］
図２７は、第５の実施の形態におけるサーバ４１０の機能構成例を示すブロック図である。
【０１８９】
サーバ４１０は、通信部４１１と、制御部４１２と、記憶部４１３とを有する。
【０１９０】
通信部４１１は、制御部４１２の制御に基づいて、他の機器との間で、有線回線または無線回線を介して、各種情報のやりとりを行うものである。例えば、通信部４１１は、ネットワーク４２０を介して、電子機器４３１、４４１、４４２、４５１、４５２との間で各種情報のやりとりを行う。
【０１９１】
制御部４１２は、記憶部４１３に記憶されている制御プログラムに基づいてサーバ４１０の各部を制御するものである。制御部４１２は、例えば、ＣＰＵ（Central Processing Unit）により実現される。
【０１９２】
記憶部４１３は、各種情報を記憶するメモリである。例えば、記憶部４１３には、サーバ４１０が各種処理を行うために必要となる各種情報（例えば、制御プログラム）が記憶される。また、記憶部４１３には、ネットワーク４２０を介して、通信部４１１により取得された各情報（電子機器４３１、４４１、４５１から送信された情報）を管理するための管理情報が記憶される。また、記憶部４１３には、ネットワーク４２０を介して接続される各電子機器（電子機器４３１、４４１、４５１）に提供するコンテンツが記憶される。
【０１９３】
［管理情報の構成例］
図２８は、第５の実施の形態における記憶部４１３に記憶される管理情報の例を示す図である。図２８（１）には、サーバ４１０の管理対象となる管理情報の一例を示す。また、図２８（２）には、サーバ４１０から各電子機器に提供されるコンテンツの一例を示す。
【０１９４】
図２８（１）に示す管理情報は、端末識別情報４６１と、受信時刻４６２と、受信情報４６３と、判定結果情報４６４と、提供コンテンツ情報４６５とにより構成される。これらの情報（端末識別情報４６１、受信時刻４６２、受信情報４６３）は、サーバ４１０に接続される各電子機器から送信され、制御部４１２により記憶部４１３に順次記憶される。
【０１９５】
端末識別情報４６１は、各電子機器を識別するための識別情報（例えば、機器固有ＩＤ（identification）、ＭＡＣ（Media Access Control）アドレス）である。例えば、端末識別情報４６１は、コンテンツの送信先となる電子機器を特定するための識別情報である。なお、図２８では、説明を容易にするため、端末識別情報を簡易的な文字と数字の組み合わせで表す。
【０１９６】
受信時刻４６２は、サーバ４１０に接続される各電子機器から情報を受信した時刻に関する情報である。図２８（１）に示す管理情報には、例えば、所定の時間帯（例えば、地球上のある地点を基準とした場合の１日）に受信した各情報を順次記憶していく。
【０１９７】
受信情報４６３は、サーバ４１０に接続される各電子機器から送信された情報である。この受信情報は、例えば、所定の規則に基づいて各電子機器から送信された情報である。例えば、所定の規則として、図６に示す判定情報を用いた判定処理を行う場合には、図９（２）の破線の矩形５１内に示す各情報のうちの一部（例えば、出力対象となる情報ＯＩ（ＯＩＸ１））が送信される。この場合には、出力対象となる情報ＯＩ（ＯＩＸ１）が受信情報４６３として記憶される。なお、他の情報（例えば、図９（１）に示す各情報（Ａ、Ａ、Ｄ、Ｅ、Ｆ、Ｅ、Ｉ、Ｆの各文字とその順序））についても送信対象として、受信情報４６３に記憶するようにしてもよい。
【０１９８】
判定結果情報４６４は、受信情報４６３に記憶されている情報に基づいて、制御部４１２により判定された結果が記憶される。例えば、サーバ４１０の制御部４１２（図２７に示す）は、受信情報４６３に記憶された情報に基づいて、各電子機器に付与する識別情報（例えば、通し番号）を決定する。例えば、制御部４１２は、所定の規則に基づいて、受信情報４６３に記憶された情報（各電子機器の受信情報）を比較可能な数値（例えば、図６（２）に示す出力対象となる情報ＯＩの順序（ＯＩ１、ＯＩ２、ＯＩ３、…）の数値（１、２、３、…））に変換し、この数値の比較に基づいて、各電子機器に付与する識別情報（例えば、通し番号）を決定することができる。
【０１９９】
また、他の規則に基づいて、各電子機器に付与する識別情報（例えば、通し番号）を決定するようにしてもよい。例えば、制御部４１２は、受信時刻４６２及び受信情報４６３に記憶された情報に基づいて、各電子機器に付与する識別情報（例えば、通し番号）を決定することができる。例えば、制御部４１２は、受信時刻４６２に基づいて、受信情報４６３により特定される数値に乗算する値（例えば、受信時刻の早い順に、１、２、３、…）を決定し、これらの演算結果に基づいて、各電子機器に付与する識別情報（例えば、通し番号）を決定することができる。また、例えば、制御部４１２は、所定の規則に基づいて、受信時刻４６２に記憶された情報について演算処理（例えば、２０１７１２０４  ０７：５６の場合には、各桁の数値を単純に加算した「３５」）を行い、この演算結果の数値と、受信情報４６３により特定される数値との演算結果（例えば、乗算、加算、減算、除算）に基づいて、各電子機器に付与する識別情報（例えば、通し番号）を決定することができる。このように、各電子機器に識別情報（例えば、通し番号）を付与することができる規則を設定しておき、この規則に基づいて、各電子機器に付与する識別情報（例えば、通し番号）を決定するようにする。このように、各電子機器に付与する識別情報（例えば、通し番号）は、電子機器（または、そのユーザ、そのユーザの淹れた珈琲）の優位さを示すものではなく、コンテンツを付与するための識別情報を意味するものとする。
【０２００】
提供コンテンツ情報４６５は、判定結果情報４６４に記憶された情報に基づいて決定されるコンテンツを識別するための情報である。なお、管理対象となる電子機器の数と、管理対象となる電子機器に提供可能なコンテンツの数とが同じである場合、または、管理対象となる電子機器の数よりも、管理対象となる電子機器に提供可能なコンテンツの数が多い場合には、判定結果情報４６４の値と、提供コンテンツ情報４６５の情報とは一対一対応となる。ただし、管理対象となる電子機器の数よりも、管理対象となる電子機器に提供可能なコンテンツの数が少ない場合には、判定結果情報４６４における複数の値に対して、提供コンテンツ情報４６５における１つの情報が対応することになる。すなわち、複数の電子機器に対して、同一のコンテンツが提供されることもある。なお、提供コンテンツ情報４６５は、図２８（２）に示す提供コンテンツ情報４７１に対応する。
【０２０１】
図２８（２）に示すコンテンツ管理情報は、提供コンテンツ情報４７１と、コンテンツ４７２とにより構成される。
【０２０２】
コンテンツ４７２には、受信情報４６３に格納すべき情報を送信した電子機器に対して、提供されるコンテンツである。コンテンツは、例えば、音声のみで構成されるコンテンツ、音声及び画像で構成されるコンテンツ、音声及び動画で構成されるコンテンツ、臭い、味覚、接触に関するコンテンツなどとすることができる。また、コンテンツは、図２８（２）に示すように、複数種類のキャラクターを有するアニメの各キャラクターＡ、Ｂ、Ｃ、…、ＸＹＺとすることができる。この場合には、異なる電子機器には、同一のキャラクターが提供されないように、各キャラクターが重複して提供されないようにしてもよく、一部の電子機器には、同一のキャラクターが提供されるように、一部のキャラクターを重複して提供するようにしてもよい。
【０２０３】
また、複数種類の映画情報（例えば、映画宣伝の動画、パンフレット）のうちの少なくとも１つの映画に関する情報をコンテンツとして提供するようにしてもよい。また、複数の音楽（例えば、歌手の動画、演奏会の動画）のうちの少なくとも１つの音楽に関する情報をコンテンツとして提供するようにしてもよい。また、複数の旅先情報（場所、名所、交通手段、割引券等）のうちの少なくとも１つの旅先（例えば、草津温泉、伊香保温泉）に関する情報をコンテンツとして提供するようにしてもよい。また、インターネット上で使用可能な複数の割引券、優待券、割引クーポンのうちの少なくとも１つをコンテンツとして提供するようにしてもよい。また、複数の店の割引券、優待券、割引クーポンのうちの少なくとも１つの店に関するものをコンテンツとして提供するようにしてもよい。また、複数の店のポイント付与のうちの少なくとも１つの店のポイント付与に関する情報をコンテンツとして提供するようにしてもよい。また、占いに関する情報（例えば、今日の珈琲占い）をコンテンツとして提供するようにしてもよい。このように、コンテンツは、アニメのキャラクター、動物（例えば、映画の登場動物、旅先の遊園地）、人物（例えば、映画の登場人物、旅先の有名人）、植物（例えば、旅先の名産物、見どころの花）、地物（例えば、旅先の地図、旅先の建物、旅先の観光地）、音楽等のうちの１または複数に関する情報とすることができる。また、例えば、ＡＲ（Augmented Reality）（拡張現実）を適用してコンテンツを提供するようにしてもよい。例えば、電子機器のカメラ（例えば、スマートフォンのカメラ）により生成された画像（写真）上に、各コンテンツを重ねて表示することができる。なお、これらの各コンテンツは、第1乃至第４の実施の形態において出力対象としてもよい。
【０２０４】
［各電子機器に関する情報の記憶例及び各電子機器に提供するコンテンツ例］
図２９は、第５の実施の形態における電子機器４３１、４４１、４５１に関する情報の記憶例と、電子機器４３１、４４１、４５１に提供するコンテンツの例を示す図である。なお、図２９（１）は、図２８（１）に対応し、図２９（２）は、図２８（２）に対応する。
【０２０５】
図２９（１）に示す記憶例において、端末識別情報４６１「ＥＸ０４３１」は、電子機器４３１の端末識別情報を示し、端末識別情報４６１「ＥＸ０４４１」は、電子機器４４１の端末識別情報を示し、端末識別情報４６１「ＥＸ０４５１」は、電子機器４５１の端末識別情報を示すものとする。また、図２９に示す各情報については、図３０〜図３２を参照して説明する。
【０２０６】
［電子機器４３１からの情報をサーバ４１０が取得する場合の通信例］
図３０は、第５の実施の形態における電子機器４３１及びサーバ４１０による通信処理例を示すフローチャートである。なお、図３０に示すステップＳ１５１〜Ｓ１５５は、図２２に示すステップＳ１２１〜Ｓ１２５に対応する。このため、ここでは、図２２に示す例と異なる点を中心に説明する。また、電子機器４３１には、サーバ４１０にアクセスしてサーバ４１０との間で各種の通信を行うためのプログラムが予め設定されているものとする。すなわち、電子機器４３１には、図３０に示す各処理を実現するためのアプリケーション（プログラム）が予め設定されているものとする。
【０２０７】
上述したように、ステップＳ１５１〜Ｓ１５５は、図２２に示すステップＳ１２１〜Ｓ１２５に対応する。
【０２０８】
電子機器４３１の制御部４８３（図２６に示す）は、出力対象となる情報（例えば、図９（２）に示す出力対象となる情報ＯＩ（ＯＩＸ１））を決定する（ステップＳ１５６）。次に、通信部４８９（図２６に示す）は、制御部４８３の制御に基づいて、その決定した情報をサーバ４１０に送信する（ステップＳ１５７）。
【０２０９】
サーバ４１０の通信部４１１は、電子機器４３１から送信された情報を受信する（ステップＳ１５８）。次に、サーバ４１０の制御部４１２は、受信した情報を記憶部４１３に記憶する（ステップＳ１５９）。例えば、図２９（１）に示すように、端末識別情報４６１「ＥＸ０４３１」に関連付けて、受信した情報（ＯＩＸ１（図２９（１）では「Ｘ１」で示す））が受信情報４６３として記憶される。また、図２９（１）に示すように、端末識別情報４６１「ＥＸ０４３１」に関連付けて、その情報（ＯＩＸ１）を電子機器４３１から受信した時刻に関する情報が受信時刻４６２として記憶される。
【０２１０】
なお、図２５に示すように、電子機器４４１に関する情報は、電子機器４４２を経由して電子機器４４１からサーバ４１０に送信される。この場合には、電子機器４４２は、電子機器４４１が送信した情報（Ｙ３）とともに、電子機器４４１に関する端末識別情報をサーバ４１０に送信する。そして、図２９（１）に示すように、端末識別情報４６１「ＥＸ０４４１」に関連付けて、電子機器４４１が送信した情報（Ｙ３）が受信情報４６３として記憶され、その情報（Ｙ３）を電子機器４４１から受信した時刻に関する情報が受信時刻４６２として記憶される。
【０２１１】
また、図２５に示すように、電子機器４５１に関する情報は、電子機器４５２を経由して電子機器４５１からサーバ４１０に送信される。この場合には、電子機器４５２は、電子機器４５１が送信した情報（Ｚ７）とともに、電子機器４５１に関する端末識別情報をサーバ４１０に送信する。そして、図２９（１）に示すように、端末識別情報４６１「ＥＸ０４５１」に関連付けて、電子機器４５１が送信した情報（Ｚ７）が受信情報４６３として記憶され、その情報（Ｚ７）を電子機器４５１から受信した時刻に関する情報が受信時刻４６２として記憶される。
【０２１２】
なお、電子機器４４１に関する情報は、電子機器４４２を経由してサーバ４１０に送信されるため、端末識別情報４６１には、「ＥＸ０４４１」の代わりに、電子機器４４２に関する端末識別情報を記録するようにしてもよい。また、「ＥＸ０４４１」の代わりに、電子機器４４１及び電子機器４４２に関する端末識別情報（電子機器４４１及び電子機器４４２の双方の識別情報、または、電子機器４４１の情報を電子機器４４２が転送した旨の情報）を記録するようにしてもよい。また、電子機器４５１に関する情報についても同様である。
【０２１３】
［サーバ４１０が電子機器４３１にコンテンツを提供する場合の通信例］
図３１は、第５の実施の形態における電子機器４３１及びサーバ４１０による通信処理例を示すフローチャートである。なお、サーバ４１０は、端末識別情報４６１（図２９（１）に示す）に基づいて、電子機器４３１に情報の送信を行うものとする。
【０２１４】
最初に、サーバ４１０の制御部４１２は、送信条件を満たすか否かを判断する（ステップＳ１６１）。そして、送信条件を満たさない場合には、送信条件を満たすまで待機する（ステップＳ１６１）。
【０２１５】
ここで、送信条件は、例えば、１日単位でコンテンツの提供を行う場合には、世界のある地点において午後１２時（２４時）になったことを条件とすることができる。例えば、サーバ４１０を日本に設置している場合には、日本時間の午後１２時（２４時）になった場合に、送信条件を満たすと判断することができる。また、限られた地域内でのみコンテンツの提供を行う場合には、この地域における活動時間の終了時間帯（例えば、午後９時）になったことを条件とすることができる。ただし、珈琲を淹れた後に、この珈琲に関するキャラクターをすぐに見たいと考えるユーザもいると想定される。そこで、例えば、１日単位でコンテンツの提供を行う場合でも、細かい間隔（例えば、１分間隔、１０分間隔。１時間間隔）で送信条件を満たすと判断して、コンテンツの提供を行うようにしてもよい。これにより、朝に珈琲を淹れたユーザは、その朝のうちにキャラクターを見ることができる。
【０２１６】
送信条件を満たす場合には（ステップＳ１６１）、サーバ４１０の制御部４１２は、管理情報に記憶されている各情報に基づいて、各電子機器に提供するコンテンツを決定する（ステップＳ１６２）。具体的には、サーバ４１０の制御部４１２は、受信情報４６３に記憶されている情報に基づいて、各電子機器に付与する識別情報（例えば、通し番号）を決定し、その結果を判定結果情報４６４に記憶する。そして、サーバ４１０の制御部４１２は、判定結果情報４６４に記憶された情報に基づいて、各電子機器に提供するコンテンツを決定し、そのコンテンツを識別するための情報を提供コンテンツ情報４６５に記憶する。
【０２１７】
例えば、細かい間隔（例えば、１分間隔、１０分間隔。１時間間隔）で送信条件を満たすと判断する場合には、その間に情報を送信した各電子機器を対象として、識別情報（例えば、通し番号）を順位決定する。例えば、１０分間隔で送信条件を満たすと判断する場合を想定する。この場合に、最初の１０分間に情報を送信した電子機器が３台であり、次の１０分間に情報を送信した電子機器が５台であり、その次の１０分間に情報を送信した電子機器が４台であるものとする。この場合には、最初の１０分間に情報を送信した各電子機器には、１〜３の識別情報（例えば、通し番号）を決定し、次の１０分間に情報を送信した各電子機器には、４〜８の識別情報（例えば、通し番号）を決定し、その次の１０分間に情報を送信した各電子機器には、９〜１２の識別情報（例えば、通し番号）を決定する。
【０２１８】
次に、サーバ４１０の通信部４１１は、制御部４１２の制御に基づいて、提供コンテンツ情報４６５に記憶されている情報に対応するコンテンツを、各電子機器に送信する（ステップＳ１６３）。例えば、図２９に示すように、提供コンテンツ情報４６５に記憶されている情報「ＣＴ６７」に対応するコンテンツ（「キャラクターＡＢＣ」に関するコンテンツ）が電子機器４３１に送信される。また、提供コンテンツ情報４６５に記憶されている情報「ＣＴ２１７」に対応するコンテンツ（「キャラクターＥＦＧ」に関するコンテンツ）が電子機器４４２（電子機器４４１）に送信される。また、提供コンテンツ情報４６５に記憶されている情報「ＣＴ３４７」に対応するコンテンツ（「キャラクターＨＩＪＫ」に関するコンテンツ）が電子機器４５２（電子機器４５１）に送信される。
【０２１９】
電子機器４３１の通信部４８９は、サーバ４１０から送信されたコンテンツを受信する（ステップＳ１６４）。次に、電子機器４３１の制御部４８３は、受信したコンテンツを記憶部４８４に記憶する（ステップＳ１６５）。次に、電子機器４３１の制御部４８３は、受信したコンテンツを出力する（ステップＳ１６６）。この出力例については、図３２に示す。
【０２２０】
［サーバ４１０が電子機器４３１、４４２、４４３、４５２にコンテンツを提供する例］
図３２は、第５の実施の形態におけるサーバ４１０が電子機器４３１、４４２、４４３、４５２にコンテンツを提供する例を示す図である。
【０２２１】
サーバ４１０は、図２９（１）に示す管理情報に基づいて、各電子機器にコンテンツを送信する。例えば、図２９（１）に示すように、端末識別情報４６１「ＥＸ０４３１」に関連付けられている提供コンテンツ情報４６５「ＣＴ６７」に基づいて、サーバ４１０は、電子機器４３１に「キャラクターＡＢＣ」に関するコンテンツを送信する。また、端末識別情報４６１「ＥＸ０４４１」に関連付けられている提供コンテンツ情報４６５「ＣＴ２１７」に基づいて、サーバ４１０は、電子機器４４１（または、電子機器４４２）に「キャラクターＥＦＧ」に関するコンテンツを送信する。また、端末識別情報４６１「ＥＸ０４４１」に関連付けられている提供コンテンツ情報４６５「ＣＴ３４７」に基づいて、サーバ４１０は、電子機器４５１（または、電子機器４５２）に「キャラクターＨＩＪＫ」に関するコンテンツを送信する。
【０２２２】
コンテンツを受信した電子機器は、受信したコンテンツに関する出力を行う。例えば、図３２に示すように、「キャラクターＡＢＣ」に関するコンテンツを受信した電子機器４３１は、「キャラクターＡＢＣ」に関する画像をユーザインタフェース４８８（表示部４８７）（図２６に示す）に表示させる。また、電子機器４３１は、「キャラクターＡＢＣ」に関する音声を音声出力部４８５（図２６に示す）から出力させる。また、「キャラクターＥＦＧ」に関するコンテンツを受信した電子機器４４２は、そのコンテンツを電子機器４４３（表示部を備える）に送信し、「キャラクターＥＦＧ」に関する画像を電子機器４４３の表示部に表示させる。また、電子機器４４２は、「キャラクターＥＦＧ」に関する音声を音声出力部から出力させる。また、「キャラクターＨＩＪＫ」に関するコンテンツを受信した電子機器４５２は、「キャラクターＨＩＪＫ」に関する画像を表示部に表示させる。また、電子機器４５２は、「キャラクターＨＩＪＫ」に関する音声を音声出力部から出力させる。
【０２２３】
［取得した情報をサーバに送信する動作例］
図３３は、第５の実施の形態における電子機器４３１による送信処理の一例を示すフローチャートである。なお、図３３に示すステップＳ１７１〜Ｓ１７７は、図３０に示すステップＳ１５１〜Ｓ１５７に対応する。このため、ここでは、図３０に示す例と異なる点を中心に説明する。
【０２２４】
最初に、電子機器４３１の制御部４８３は、開始指示が検出されたか否かを判断する（ステップＳ１７１）。開始指示が検出された場合には（ステップＳ１７１）、ステップＳ１７２に進む。また、開始指示が検出されない場合には（ステップＳ１７１）、監視を継続して行う。
【０２２５】
［サーバから提供されたコンテンツを出力する動作例］
図３４は、第５の実施の形態における電子機器４３１によるコンテンツ出力処理の一例を示すフローチャートである。なお、図３４に示すステップＳ１８１〜Ｓ１８３は、図３１に示すステップＳ１６４〜Ｓ１６６に対応する。このため、ここでは、図３１に示す例と異なる点を中心に説明する。
【０２２６】
最初に、電子機器４３１の制御部４８３は、サーバ４１０からコンテンツを受信したか否かを判断する（ステップＳ１８１）。サーバ４１０からコンテンツを受信した場合には（ステップＳ１８１）、ステップＳ１８２に進む。また、サーバ４１０からコンテンツを受信していない場合には（ステップＳ１８１）、監視を継続して行う。
【０２２７】
［各電子機器にコンテンツを提供する動作例］
図３５は、第５の実施の形態におけるサーバ４１０によるコンテンツ提供処理の一例を示すフローチャートである。なお、図３５に示すステップＳ１９３〜Ｓ１９７は、図３０、図３１に示すステップＳ１５８、Ｓ１５９、Ｓ１６１〜Ｓ１６３に対応する。このため、ここでは、図３０、図３１に示す例と異なる点を中心に説明する。
【０２２８】
最初に、サーバ４１０の制御部４１２は、開始条件を満たすか否かを判断する（ステップＳ１９１）。開始条件を満たす場合には（ステップＳ１９１）、ステップＳ１９２に進む。また、開始条件を満たさない場合には（ステップＳ１９１）、ステップＳ１９３に進む。
【０２２９】
ここで、開始条件は、例えば、１日単位でコンテンツの提供を行う場合には、世界のある地点において午前０時になったことを条件とすることができる。例えば、サーバ４１０を日本に設置している場合には、日本時間の午前０時になった場合に、開始条件を満たすと判断することができる。また、限られた地域内でのみコンテンツの提供を行う場合には、この地域における活動時間の開始時間帯（例えば、午前４時）になったことを条件とすることができる。
【０２３０】
開始条件を満たす場合には（ステップＳ１９１）、サーバ４１０の制御部４１２は、記憶部４１３における管理情報の内容を消去する（ステップＳ１９２）。これにより、新たな情報に基づいて、各電子機器に新たなコンテンツ（キャラクター）を提供することができる。
【０２３１】
次に、サーバ４１０の制御部４１２は、電子機器から情報（例えば、決定処理により決定された出力対象となる情報（例えば、図９（２）に示す出力対象となる情報ＯＩ（ＯＩＸ１）））を受信したか否かを判断する（ステップＳ１９３）。電子機器から情報を受信した場合には（ステップＳ１９３）、ステップＳ１９４に進む。また、電子機器から情報を受信していない場合には（ステップＳ１９３）、監視を継続して行う。
【０２３２】
電子機器から情報を受信した場合には（ステップＳ１９３）、サーバ４１０の制御部４１２は、受信した情報を、その情報を送信した電子機器に関連付けて記憶部４１３に記憶する（ステップＳ１９４）。
【０２３３】
次に、サーバ４１０の制御部４１２は、送信条件を満たすか否かを判断する（ステップＳ１９５）。そして、送信条件を満たさない場合には、ステップＳ１９３に戻る。
【０２３４】
送信条件を満たす場合には（ステップＳ１９５）、サーバ４１０の制御部４１２は、管理情報に記憶されている各情報に基づいて、各電子機器に提供するコンテンツを決定する（ステップＳ１９６）。
【０２３５】
次に、サーバ４１０の通信部４１１は、制御部４１２の制御に基づいて、提供コンテンツ情報４６５に記憶されている情報に対応するコンテンツを、各電子機器に送信する（ステップＳ１９７）。
【０２３６】
［サーバが各処理を行う場合の動作例］
以上では、珈琲抽出器に取り付けられる電子機器が出力対象となる情報を決定するための決定処理を行い、この決定処理により決定された情報をサーバ４１０に送信する例を示した。ここで、第４の実施の形態で示したように、珈琲抽出器に取り付けられる電子機器には、比較的簡易的な処理のみを行わせ、他の処理については、処理能力が高いサーバ４１０に行わせることも考えられる。そこで、図３６では、珈琲抽出器に取り付けられる電子機器では、容器に溜まる珈琲の表面の画像情の取得及び送信のみを行わせ、他の処理については、サーバ４１０で行う例を示す。
【０２３７】
［複数の電子機器において一連の処理を行う場合の通信例］
図３６は、第５の実施の形態におけるサーバ４１０及び電子機器４３１による通信処理例を示すフローチャートである。なお、図３６に示すステップＳ５０１〜Ｓ５０４は、図２４に示すステップＳ１３１、Ｓ１３３〜Ｓ１３５に対応する。また、図３６に示すステップＳ５１５、Ｓ５１６は、図３１に示すステップＳ１６１、Ｓ１６２に対応する。このため、ここでは、図２４、図３１に示す例と異なる点を中心に説明する。
【０２３８】
電子機器４３１の制御部４８３は、開始指示を検出した場合には（ステップＳ５０１）、画像取得部４８２により取得された画像（容器に溜まる珈琲が撮像された画像（画像データを含む））を取得し（ステップＳ５０２）、取得した画像情報をサーバ４１０に送信する（ステップＳ５０３）。この場合に、電子機器４３１からサーバ４１０への画像情報の送信は、定期的に行うようにしてもよく、不定期に行うようにしてもよい。
【０２３９】
図３６に示すステップＳ５０４は、図２４に示すステップＳ１３５に対応する。
【０２４０】
サーバ４１０の制御部４１２は、電子機器４３１から画像情報を受信すると（ステップＳ５１１）、受信した画像情報を解析して特徴量を取得する（ステップＳ５１２）。次に、サーバ４１０の制御部４１２は、取得した特徴量を電子機器４３１に関連付けて記憶部４１３に記憶する（ステップＳ５１３）。このように、終了条件を満たすまでの間、受信した画像情報について解析処理を行い、この解析処理により取得した特徴量（例えば、図９（１）に示す各情報、図１６（１）に示す各情報）を電子機器４３１に関連付けて記憶部４１３に順次記憶する（ステップＳ５１１〜Ｓ５１４）。例えば、第１乃至第４の実施の形態で示した各処理（例えば、図１１に示すステップＳ１０２〜Ｓ１０５の各処理、図１８に示すステップＳ１１２〜Ｓ１１５の各処理、図２２に示すステップＳ１２３〜Ｓ１２６の各処理、図２４に示すステップＳ１４３〜Ｓ１４６、図３０に示すステップＳ１５３〜Ｓ１５６、図３３に示すステップＳ１７３〜Ｓ１７６）を行い、その処理結果（特徴量）を経過時間に関連付けるとともに、電子機器４３１に関連付けて記憶部４１３に記憶する（例えば、図９（１）に示す各情報、図１６（１）に示す各情報）。
【０２４１】
また、送信条件を満たす場合には（ステップＳ５１５）、サーバ４１０の制御部４１２は、管理情報に記憶されている各情報に基づいて、各電子機器に提供するコンテンツを決定する（ステップＳ５１６）。
【０２４２】
次に、サーバ４１０の通信部４１１は、制御部４１２の制御に基づいて、コンテンツの提供がある旨の通知を電子機器４３１に送信する（ステップＳ５１７）。例えば、電子メール、ＳＮＳ（Social Networking Service）、インターネット上での通知等の通知手段を用いることができる。また、ステップＳ５１７において、コンテンツの全部または一部を送信（例えば、電子メールに添付して送信、ＳＮＳでの送信、インターネット上での送信）するようにしてもよい。
【０２４３】
また、電子機器４３１の通信部４８９は、サーバ４１０からの通知を受信すると、その旨をユーザに通知する（ステップＳ５０５）。例えば、その旨のメッセージによる音声出力、その旨のメッセージの表示、振動、ランプの点灯、点滅等により通知することができる。この通知を見たユーザは、電子機器４３１（または、他の電子機器）を操作してサーバ４１０にアクセスし、電子機器４３１（または、他の電子機器）及びサーバ４１０を接続して、サーバ４１０からコンテンツの提供を受けることができる（ステップＳ５１８、Ｓ５０６）。これにより、電子機器４３１の制御部４８３は、提供されるコンテンツに基づいて、音声出力部４８５から音声を出力させるとともに、提供されるコンテンツに基づいて、ユーザインタフェース４８８（表示部４８７）に画像を表示させることができる（ステップＳ５０６）。例えば、図３２に示すように、音声出力部から音声が出力され、ユーザインタフェースに画像が表示される。
【０２４４】
なお、図３６に示す例において、何らかの原因（例えば、レンズの曇り、無線通信の中断）により電子機器４３１からの画像情報を全て受信できないことも想定される。また、抽出時間の異なる情報が複数の電子機器から送信されることも想定される。また、複数の電子機器から送信される画像情報が、統一された規則に基づいて送信されないことも想定される。
【０２４５】
例えば、電子機器４３１からは５枚の画像に関する画像情報が送信され、電子機器４４１からは３枚の画像に関する画像情報が送信され、電子機器４５１からは１枚の画像に関する画像情報が送信されることも想定される。このような場合には、サーバ４１０の制御部４１２は、電子機器４３１、４４１、４５１から受信した各画像情報を解析して、各画像情報に基づく特徴量を比較可能な情報とする。例えば、図６（１）（２）に示す判定情報を用いる場合には、サーバ４１０の制御部４１２は、電子機器４３１、４４１、４５１から受信した各画像情報を解析して、各画像情報に基づく特徴量（Ａ〜Ｉ）を求める。そして、サーバ４１０の制御部４１２は、求められた特徴量（Ａ〜Ｉ）と、受信した画像の数とに基づいて、比較可能な数値を算出する。例えば、電子機器４３１から受信した５枚の画像に基づく特徴量が、受信順にＡ、Ａ、Ｂ、Ｃ、Ａであり、電子機器４４１から受信した３枚の画像に基づく特徴量が、受信順にＡ、Ｃ、Ｄであり、電子機器４５１から受信した１枚の画像に基づく特徴量が、Ｇである場合を想定する。この場合に、最大の受信数（５）に基づいて乗数（５〜１）を決定し、これを各特徴量に乗算して比較可能な数値を算出する。具体的には、特徴量Ａ〜Ｉを数値化して、電子機器４３１に関する特徴量Ａ、Ａ、Ｂ、Ｃ、Ａを、１、１、２、３、１に変換し、電子機器４４１に関する特徴量Ａ、Ｃ、Ｄを、１、３、４に変換し、電子機器４５１に関する特徴量Ｇを７に変換する。そして、受信順に乗数（５〜１）をかけて加算して比較可能な数値を算出する。具体的には、電子機器４３１については、２２（＝１×５＋１×４＋２×３＋３×２＋１×１）を算出し、電子機器４４１については、２９（＝１×５＋３×４＋４×３）を算出し、電子機器４５１については、３５（＝７×５）を算出する。この場合には、２２（電子機器４３１）＜２９（電子機器４４１）＜３５（電子機器４５１）となるため、この順番に識別番号（通し番号）が決定される。すなわち、電子機器４３１には１が決定され、電子機器４４１には２が決定され、電子機器４５１には３が決定される。なお、比較可能な数値として算出された値が複数の電子機器同士で同一となることも想定される。この場合には、例えば、受信時刻に基づいて、識別番号（通し番号）を決定することができる。例えば、受信時刻が早い電子機器から順番に番号を付与することができる。
【０２４６】
このように、複数の電子機器から送信される画像情報が、統一された規則に基づいて送信されないような場合でも、各電子機器に付与する識別情報（例えば、通し番号）を決定することができ、各電子機器にコンテンツを提供することができる。これにより、例えば、珈琲ショップにおいて、珈琲の表面を電子機器（例えば、スマートフォン）等で撮影して、その画像をサーバ４１０に送信したようなユーザに対しても、コンテンツを提供することが可能となる。すなわち、家庭や職場において珈琲抽出器を用いて淹れた珈琲を飲むユーザ、インスタントコーヒーを用いて淹れた珈琲を飲むユーザ、珈琲ショップにおいて他人が淹れた珈琲を飲むユーザなどの各ユーザが、複数のコンテンツのうちから少なくとも１つのコンテンツの提供を受けるというサービスに参加して、提供されたコンテンツを楽しむことができる。このように、第５の実施の形態では、相対的な情報の比較によりコンテンツを決定して提供することができる。
【０２４７】
また、複数の電子機器から送信される画像情報が、同一（または同一のパターン）または類似（近似）（または類似（近似）のパターン）となることも想定される。このような場合には、同一（または同一のパターン）または類似（近似）（または類似（近似）のパターン）の画像情報を送信した各電子機器には、上述した各処理により決定したコンテンツ以外にも、何らかの特典や優待を与えるようにすることができる。例えば、サーバ４１０の制御部４１２は、１日単位でコンテンツの提供を行う場合には、基準地点において午後１２時（２４時）になったときに、同一（または同一のパターン）または類似（または類似のパターン）の画像情報を送信した電子機器が存在するか否かを管理情報に記憶されている各情報に基づいて判断することができる。そして、サーバ４１０の制御部４１２は、同一（または同一のパターン）または類似（または類似のパターン）の画像情報を送信した電子機器が存在する場合には、その各電子機器に対して、決定されているコンテンツ以外にも、他のコンテンツ（例えば、特別のキャラクター、アニメの主人公級のキャラクター、特定のサービス）を提供することができる。これにより、通常のコンテンツの提供を受けたユーザは、そのコンテンツ以外の他のコンテンツ（何らかの特典や優待）を受けることにより、さらに楽しみが増加する。
【０２４８】
なお、図３６に示す例では、電子機器４３１から画像情報に基づいてサーバ４１０が一連の処理を行う例を示した。ただし、サーバ４１０が行う処理の一部を他の機器（１または複数の機器）において行うようにしてもよい。この場合は、複数の機器により構成される情報処理システムが、図３６に示す各処理（サーバ４１０が行う各処理）を行うことになる。
【０２４９】
このように、サーバ４１０（または、これを構成する複数の機器）は、珈琲を生成するための物質（例えば、珈琲豆、これを粉砕した粉、インスタントコーヒー）とお湯とにより生成される珈琲を容器に溜める場合の、その生成の際、その生成された珈琲を容器に入れる際、または、その生成された珈琲を容器に入れた後に、その生成された珈琲に関して取得される情報（その珈琲から取得される情報）を、複数の容器に入れられた各珈琲について取得し、その取得された各情報に基づいて、複数の容器に関連する各人物に提供するコンテンツ（例えば、その珈琲とは無関係の情報）を決定する情報処理装置、情報処理システム、通信システムの一例である。
【０２５０】
また、サーバ４１０（または、これを構成する複数の機器）は、抽出された珈琲を容器に入れる際、または、抽出された珈琲を容器に入れた後に、その抽出された珈琲に関して取得される情報を複数の容器に入れられた各珈琲について取得し、その取得された各情報に基づいて、複数の容器に関連する各人物に提供するコンテンツを決定する情報処理装置、情報処理システム、通信システムの一例である。
【０２５１】
また、サーバ４１０（または、これを構成する複数の機器）は、抽出された珈琲に関する情報として、例えば、その抽出された珈琲を容器に入れる際、または、その抽出された珈琲を容器に入れた後の容器におけるその抽出された珈琲の表面の変化（例えば、色、模様、泡の発生）に関する特徴量を用いることができる。また、サーバ４１０（または、これを構成する複数の機器）は、例えば、複数の容器に入れられた各珈琲について取得された各情報を比較することにより、複数の容器に関連する各人物に付与するコンテンツを決定することができる。
【０２５２】
［他のセンサを用いる例］
なお、以上では、主に、画像センサ（イメージセンサ、撮像素子）を用いて、珈琲を生成する際、または、珈琲を生成した後に、各種の情報（例えば、表面の遷移）を取得する例を示したが、他のセンサを用いて、珈琲を生成する際、または、珈琲を生成した後に、各種の情報を取得するようにしてもよい。図３７には、各種のセンサを珈琲抽出器（電子機器）に取り付ける例を示す。
【０２５３】
図３７は、第１乃至第５の実施の形態における珈琲抽出器または電子機器に取り付けるセンサの取付例を示す図である。なお、図３７（１）〜（５）に示す珈琲抽出器６００、６１０、６２０、６３０、６４０は、図１３に示す珈琲抽出器２００と略同様にスタンド６０２、６１２、６２２、６３２、６４２を有するものである。また、図３７（６）に示す珈琲抽出器６５０は、図１に示す珈琲抽出器１と略同様にスタンドを有さないものである。また、珈琲抽出器６００、６１０、６２０、６３０、６４０、６５０は、ドリッパー６０１、６１１、６２１、６３１、６４１、６５１と、容器６０３、６１３、６２３、６３３、６４３、６５２とを有する。なお、各センサ６０４、６１４、６２４、６３４、６４４、６６１については、以下の各センサの説明で説明する。また、液体（珈琲）の中に入るセンサ６３４や湯気を受ける可能性があるセンサ６２４については、防水加工を施すことが好ましい。また、お湯の温度の影響があるセンサについては、断熱処理、耐熱処理を施すことが好ましい。
【０２５４】
例えば、温度の計測が可能な温度センサを用いることができる。例えば、珈琲抽出器における容器に溜まる液体（珈琲）の温度を計測可能な位置に温度センサを取り付け、この温度センサにより珈琲抽出の開始から終了までの温度の遷移を取得することができる。例えば、図３７（１）〜（５）に示す各センサ６０４、６１４、６２４、６３４、６４４の位置に温度センサを取り付けることができる。そして、その温度の遷移に基づいて、出力対象となるコンテンツを決定することができる。
【０２５５】
また、例えば、匂いの計測が可能な匂いセンサ（臭気センサ）を用いることができる。この匂いセンサは、例えば、特定の匂いを検出することが可能なセンサでもよく、匂いに応じて何らかの情報を出力することができる程度のセンサでもよい。例えば、珈琲抽出器における容器に溜まる液体（珈琲）の匂いを計測可能な位置に匂いセンサを取り付け、この匂いセンサにより珈琲抽出の開始から終了までの匂いの遷移を取得することができる。匂いセンサを取り付ける位置は、例えば、容器の内部、ドリッパーの下部（容器の内部に入るように）とすることができる。例えば、図３７（３）（４）に示す各センサ６２４、６３４の位置に匂いセンサを取り付けることができる。そして、その匂いの遷移に基づいて、出力対象となるコンテンツを決定することができる。例えば、時系列で取得された各匂いに関する情報を数値化して演算（例えば、加算、乗算）し、比較可能な数値を算出し、この数値を比較することにより、出力対象となるコンテンツを決定することができる。
【０２５６】
また、例えば、音の計測が可能な音センサ（例えば、マイク）を用いることができる。例えば、珈琲抽出器における容器に溜まる液体（珈琲）から発する音を計測可能な位置に音センサを取り付け、この音センサにより珈琲抽出の開始から終了まで発生する音の遷移を取得することができる。音センサを取り付ける位置は、例えば、容器の内部、ドリッパーの下部（容器の内部に入るよう）、容器の外部とすることができる。例えば、図３７（１）〜（５）に示す各センサ６０４、６１４、６２４、６３４、６４４の位置に音センサを取り付けることができる。そして、その音の遷移に基づいて、出力対象となるコンテンツを決定することができる。例えば、時系列で取得された各音に関する情報を数値化して演算（例えば、加算、乗算）し、比較可能な数値を算出し、この数値を比較することにより、出力対象となるコンテンツを決定することができる。
【０２５７】
また、例えば、重さの計測が可能な重さセンサを用いることができる。例えば、珈琲抽出器における容器に溜まる液体（珈琲）の重さを計測可能な位置（例えば、容器の底）に重さセンサを取り付け、この重さセンサにより珈琲抽出の開始から終了までの重さの遷移を取得することができる。重さセンサを取り付ける位置は、例えば、容器の底とすることができる。例えば、図３７（５）に示すセンサ６４４の位置に重さセンサを取り付けることができる。そして、その重さの遷移に基づいて、出力対象となるコンテンツを決定することができる。例えば、時系列で取得された各重さの数値を演算（例えば、加算、乗算）して、比較可能な数値を算出し、この数値を比較することにより、出力対象となるコンテンツを決定することができる。
【０２５８】
また、例えば、味覚の計測が可能な味覚センサを用いることができる。例えば、珈琲抽出器における容器に溜まる液体（珈琲）の味覚を計測可能な位置に味覚センサを取り付け、この味覚センサにより珈琲抽出の開始から終了までの味覚の遷移を取得することができる。味覚センサを取り付ける位置は、例えば、容器の内部、ドリッパーの下部（容器の内部に入るように）とすることができる。例えば、図３７（４）に示すセンサ６３４（例えば、クリップ形式で容器６３３の開口部に取り付けるセンサ）の位置に味覚センサを取り付けることができる。そして、その味覚の遷移に基づいて、出力対象となるコンテンツを決定することができる。例えば、時系列で取得された各味覚に関する情報を数値化して演算（例えば、加算、乗算）し、比較可能な数値を算出し、この数値を比較することにより、出力対象となるコンテンツを決定することができる。
【０２５９】
なお、以上で示した各センサは、一例であり、他の情報を取得するセンサを用いるようにしてもよい。また、使用される各センサについては、何らかの情報（例えば、温度が７５度以上か否か、特定の匂いの有無、特定音の有無、特定の味の有無）を取得可能な程度の性能を有するものでも使用可能である。すなわち、各抽出について比較可能な情報を取得することが可能な程度のセンサについても用いることができる。また、図３７（６）に示すように、珈琲抽出器６５０の外部に設置する電子機器６６０が備えるセンサ６６１を用いるようにしてもよい。例えば、珈琲抽出器６５０の容器６５２に溜まる液体（珈琲）に関する画像情報を取得できるように、容器６５２の外側に電子機器６６０（例えば、スマートフォン）を設置することができる。そして、電子機器６６０のセンサ６６１（例えば、カメラ）を用いて、珈琲抽出器６５０の容器６５２に溜まる液体（珈琲）に関する画像情報を取得し、この画像情報を用いることができる。この場合には、電子機器６６０は、第１乃至第５の実施の形態で示した電子機器（珈琲抽出器に取り付けられる電子機器）として機能する。また、容器６５２を設置する台（設置台６５３）に電子機器６６０を設置するための取付部（例えば、スマートフォン取付部）を設け、この取付部に電子機器６６０を取り付けるようにしてもよい。また、電子機器６６０（例えば、スマートフォン）の他のセンサ（例えば、振動を検知するセンサ、マイク）を用いて、珈琲抽出器６５０の容器６５２に溜まる液体（珈琲）に関する各情報（例えば、落下する液体により発生する振動、落下する液体により発生する音）を取得し、この各情報を用いるようにしてもよい。これにより、誰でも簡単に電子機器６６０の設置をすることができ、第１乃至第５の実施の形態で示したコンテンツの出力を楽しむことができる。
【０２６０】
［複数のセンサを用いる例］
なお、以上では、各種のセンサを用いて、珈琲を生成する際、または、珈琲を生成した後に、各種の情報を取得する例を示したが、各種のセンサのうちの複数のセンサを用いて、珈琲を生成する際、または、珈琲を生成した後に、各種の情報を取得するようにしてもよい。図３８には、複数のセンサを電子機器に取り付ける例を示す。
【０２６１】
図３８は、第１乃至第５の実施の形態における電子機器７００、７１０、７２０、７２５に取り付けるセンサの取付例を示す図である。なお、図３８（１）〜（４）に示す電子機器７００、７１０、７２０、７２５は、図１〜図３に示す電子機器２０の変形例である。また、図３８（１）に示す電子機器７００は、電子機器２０の把持部２７の形状を変形したものである。また、図３８（２）（３）に示す電子機器７１０、７２０は、電子機器２０の環状部２８の形状を変形したものである。また、図３８（４）に示す電子機器７２５は、電子機器２０の把持部２７を省略し、環状部２８の形状を変形したものである。また、図３８（１）〜（４）には、図３（４）と同様に、電子機器７００、７１０、７２０、７２５の下面図を示す。
【０２６２】
図３８（１）に示す電子機器７００は、図３（４）に示す電子機器２０のレンズ２１の代わりに、４つのセンサ７０１〜７０４を設けたものである。また、ユーザが電子機器７００を持ちやすいように、把持部に凹部７０５（くぼみ）を設けたものである。
【０２６３】
図３８（２）に示す電子機器７１０は、図３（４）に示す電子機器２０の環状部２８の形状をＵ字型の形状としたものであり、３つのセンサ７１１〜７１３を設けたものである。
【０２６４】
図３８（３）に示す電子機器７２０は、図３（４）に示す電子機器２０の環状部２８の形状を矩形状としたものであり、４つのセンサ７２１〜７２４を設けたものである。
【０２６５】
図３８（４）に示す電子機器７２５は、図３（４）に示す電子機器２０の環状部２８の形状を楕円形状としたものであり、４つのセンサ７２６〜７２９を設けたものである。また、電子機器２０の把持部２７を省略したものである。なお、電子機器２０の把持部２７に備えられる各部（例えば、操作部２６、音声出力部２５）については、他の部分（例えば、側面、フランジ部から出る部分（例えば、符号７０６で示す部分））に設けることができる。
【０２６６】
なお、図３８（１）に示すセンサ７０１〜７０４については、同種のセンサを複数設けるようにしてもよく、全てを異なるセンサとしてもよい。例えば、センサ７０１〜７０４については、上述したセンサのうちの少なくとも１つとすることができる。また、同種のセンサ（例えば、画像センサ）を複数設け、センサの精度を高めるようにしてもよい。また、図３８（２）に示すセンサ７１１〜７１３、図３８（３）に示すセンサ７２１〜７２４、図３８（４）に示すセンサ７２６〜７２９についても同様である。また、センサを設ける位置については、図３８に示す例に限定されず、センサの性能を発揮することが可能な位置に設置することができる。また、珈琲抽出器に取り付ける電子機器については、センサ以外の制御部等の構成を省略してもよい。この場合には、センサからの情報を有線回線等により他の電子機器に送信して用いることができる。
【０２６７】
［珈琲抽出器の変形例］
図３９、図４０は、第１の実施の形態における珈琲抽出器１の変形例（珈琲抽出器７３０）の外観を示す図である。図３９には、珈琲抽出器１の斜視図を示す。また、図４０（１）には、電子機器７５０をフランジ部７４２に取り付けた状態のドリッパー７４０の上面図を示し、図４０（２）には、電子機器７５０をフランジ部７４２に取り付けた状態のドリッパー７４０の下面図を示す。なお、図４０（１）では、説明を容易にするため、収容部７４１を省略して示す。また、図４０（３）には、フランジ部７４２から取り外した状態の電子機器７５０の下面図を示し、図４０（４）には、フランジ部７４２から取り外した状態の電子機器７５０の下面図を示す。
【０２６８】
珈琲抽出器７３０は、ドリッパー７４０と、電子機器７５０と、容器７６０とを有する。なお、ドリッパー７４０、電子機器７５０、容器７６０は、それぞれ図１〜図３に示すドリッパー１０、電子機器２０、容器３０に対応するものである。このため、以下では、ドリッパー１０、電子機器２０、容器３０と異なる点を中心に説明する。
【０２６９】
ドリッパー７４０は、収容部７４１及びフランジ部７４２を有し、容器７６０の開口部に配置して使用される珈琲ドリッパーである。また、フランジ部７４２には、電子機器７５０が取り付けられる。
【０２７０】
電子機器７５０は、フランジ部７４２に取り外し可能に取り付けられる電子機器であり、音声出力部７５５と、レンズ７５１と、取付部７５７とを有する。また、電子機器７５０は、フランジ部７４２の取付部７４５の凹部（取付部７５７の凸部の形状に対応する凹部）にスライドして取り付けられる。また、例えば、電子機器７５０は、筐体（ケース）内に各機器（例えば、図４に示す各部）を設置することにより実現される。なお、筐体（ケース）の素材として、例えば、耐熱ガラス、陶器、金属、セラミックス、樹脂、木等を用いることができる。
【０２７１】
取付部７５７は、フランジ部７４２の一部に設けられる切欠き部（取付部７４５）に取り付けるための部分である。また、取付部７５７は、取付部７４５の凹部の形状に対応する凸部であり、取付部７４５の凹部に嵌るように形成される。なお、図４０に示す例とは逆に、取付部７５７を凹部の形状とし、フランジ部７４２の取付部７４５を凸部の形状（取付部７５７の凹部の形状に対応する凸部）とし、取付部７５７を取付部７４５の凸部に嵌るように形成するようにしてもよい。また、この例では、フランジ部７４２の一部を切欠き部（取付部７４５）として、取付部７４５に電子機器７５０を取り付ける例を示すが、これ以外の取付方法を用いるようにしてもよい。
【０２７２】
例えば、電子機器７５０をフランジ部７４２に取り付ける場合には、フランジ部７４２の取付部７４５の凹部に取付部７５７の凸部を合わせて、電子機器７５０を矢印２（図４０（３））の方向に押し込みスライドさせる。また、電子機器７５０をフランジ部７４２から取り外す場合には、フランジ部７４２の外側（矢印３（図４０（３））の方向）に電子機器７５０を引っ張るようにスライドさせる。なお、フランジ部７４２の取付部７４５と、電子機器７５０の取付部７５７との少なくとも一方に、電子機器７５０をフランジ部７４２に係止するための係止部材を設けるようにしてもよい。
【０２７３】
このように、電子機器７５０の取付をスライド式とすることにより、電子機器７５０の取り付け及び取り外しが容易である。
【０２７４】
また、電子機器７５０のレンズ７５１は、フランジ部７４２の下側の面に配置される。また、電子機器７５０のレンズ７５１は、ドリッパー７４０を容器７６０にセットした場合に、レンズ７５１の光軸方向が容器７６０に溜まる珈琲抽出液の表面に向くように配置される。
【０２７５】
また、電子機器７５０に内蔵される各機器については、断熱処理、防水加工処理を施すことが好ましい。また、レンズ７５１については、曇り止め処理を施すことが好ましい。
【０２７６】
このように、珈琲抽出器への電子機器の取付方法として、各種の方法を用いることができる。
【０２７７】
［液体（珈琲）に関する他の情報を取得して用いる例］
なお、以上では、珈琲抽出器の容器に溜まる液体（珈琲）に関する情報を取得して用いる例を示した。ただし、液体（珈琲）に関する他の情報を取得して用いるようにしてもよい。例えば、珈琲の粉を収容するドリッパーに液体（お湯）を注いだ場合には、その注ぎ具合に応じて、ドリッパーの収容部における珈琲の粉や液体（お湯）が遷移する。例えば、珈琲豆を細かく砕いた場合と、荒く砕いた場合とでは異なる遷移（例えば、真ん中にくぼみできたり山になったりする等）となることがある。また、液体（お湯）を注ぐスピードに応じて、異なる遷移（例えば、お湯で満たされる、粉のくぼみにのみお湯が存在等）となることがある。例えば、その注ぎ具合や粉の粉砕の程度に応じて、ドリッパーの収容部における珈琲の粉が液体（お湯）で満たされ、その後、泡が発生することがある。例えば、粉の粉砕の程度に応じて、ドリッパーの収容部における珈琲の粉が膨らんだり、平面上になったりすることがある。そこで、珈琲を生成する際、または、珈琲を生成した後に、各種センサを用いて、珈琲の粉を収容するドリッパーの収容部における珈琲の粉や液体（お湯）に関する各種の情報を取得するようにしてもよい。例えば、図３７（３）に示すように、画像センサ（イメージセンサ、撮像素子）をドリッパーの収容部の上側に設置し、ドリッパーの収容部における珈琲の粉や液体（お湯）に関する画像情報を取得して用いることができる。
【０２７８】
また、液体（珈琲）に関する他の情報として、例えば、コーヒーミル（珈琲豆を挽く機器）により珈琲豆を挽く場合に関する情報を取得して用いるようにしてもよい。例えば、コーヒーミルにより珈琲豆を挽く場合に発しする音等に関する情報を取得して用いることができる。また、コーヒーミルに関して取得した情報と、珈琲抽出器により取得した情報とを組み合わせて用いるようにしてもよい。
【０２７９】
［液体（珈琲）に関する情報とともに時刻情報や位置情報を用いる例］
なお、以上では、液体（珈琲）に関する各種の情報を取得し、これを用いて提供対象となるコンテンツを決定する例を示した。また、液体（珈琲）に関する画像情報と時刻情報とに基づいて提供対象となるコンテンツを決定する例を示した。ただし、電子機器が位置情報を用いることができる場合（例えば、図２１に示す位置情報取得部３５８や、図２６に示す位置情報取得部４９０を電子機器が備える場合）には、その位置情報を用いることができる。例えば、電子機器（珈琲抽出器に取り付けられる電子機器、珈琲抽出器に取り付けられる電子機器からの情報を転送する電子機器）は、液体（珈琲）に関する情報ととともに、自機に関する位置情報（例えば、緯度経度、地域を特定するための情報）をサーバ４１０に送信することができる。この場合には、サーバ４１０の制御部４１２は、液体（珈琲）に関する情報（例えば、画像情報、音情報等）と位置情報とに基づいて提供対象となるコンテンツを決定することができる。例えば、複数のコンテンツを複数のグループ（例えば、コンテンツを提供する国の数）に分類し、日が変わるごとに、各国に割り振るグループを順次変更するようにする。そして、例えば、ある国Ａに存在する各電子機器には、その日に国Ａに割り振られたグループに属するコンテンツから選択されたコンテンツが提供される。
【０２８０】
また、サーバ４１０の制御部４１２は、液体（珈琲）に関する情報とともに、位置情報及び時刻情報に基づいて提供対象となるコンテンツを決定するようにしてもよい。例えば、サーバ４１０の制御部４１２は、液体（珈琲）に関する情報を数値化するとともに、位置情報及び時刻情報の双方を数値化し、これらの各数値の演算（例えば、四則演算）を行うことにより、比較可能な数値を算出し、提供対象となるコンテンツを決定することができる。位置情報は、例えば、Ａ国は１、Ｂ国は２、…などのように、国単位で数値を当てはめるようにしてもよく、国における地域（例えば、都道府県）単位で数値を当てはめるようにしてもよい。また、緯度及び経度についての演算（例えば、四則演算（例えば、各数値を単純加算））を行うことにより、数値を算出するようにしてもよい。
【０２８１】
［珈琲以外の飲み物に関する情報を取得して用いる例］
以上では、抽出された珈琲を容器に入れる際、または、抽出された珈琲を容器に入れた後に、その抽出された珈琲に関して取得される情報を用いてコンテンツを出力する例を示した。ただし、珈琲以外の飲み物についても、第１乃至第５の実施の形態を適用することができる。例えば、紅茶、日本茶（例えば、緑茶、ほうじ茶、玄米茶、煎茶、番茶、玉露）、中国茶（例えば、杜仲茶、烏龍茶）、ハーブティ、薬膳茶などの各種のお茶、ココア、ホットチョコレートなどの各種の飲み物についても、第１乃至第５の実施の形態を適用することができる。例えば、お茶を茶器（例えば、急須、ティーポット）で抽出する場合に、茶葉に注がれたお湯が茶器に入れられる際、または、茶葉に注がれたお湯が茶器に入った後に、その茶葉に注がれたお湯（お茶）に関して取得される情報を用いてコンテンツを出力することができる。この場合には、上述した各センサのうちの少なくとも１つを、茶器またはその付近に取り付け、上述した各情報を取得することができる。また、サーバ４１０は、飲み物の種類（カテゴリー）毎に管理情報を保持し、飲み物の種類（カテゴリー）毎に上述した各処理を行い、飲み物の種類（カテゴリー）毎にコンテンツの提供処理を行うことができる。この場合には、例えば、珈琲に関する情報を送信した電子機器と、紅茶に関する情報を送信した電子機器とには、同一のコンテンツが提供されることもある。また、サーバ４１０は、飲み物の種類（カテゴリー）とは無関係に、飲み物に関する情報を送信した電子機器について上述した各処理を行い、コンテンツの提供処理を行うことができる。この場合には、例えば、異なる飲み物に関する情報を送信した各電子機器についても、同一の判定処理、決定処理等を行い、異なるコンテンツを提供することができる。
【０２８２】
［第６の実施の形態：飲み物に関する情報を取得して出力する例］
以上では、抽出された飲み物を容器に入れる際、または、抽出された飲み物を容器に入れた後に、その抽出された飲み物に関して取得される情報を用いてコンテンツを出力する例を示した。ただし、抽出された飲み物を容器に入れる際、または、抽出された飲み物を容器に入れた後に、その抽出された飲み物に関して取得された情報自体（または、何らかの処理（例えば、音声の増幅処理）を施した情報）を出力するようにしてもよい。そこで、第６の実施の形態では、抽出された飲み物を容器に入れる際、または、抽出された飲み物を容器に入れた後に、その抽出された飲み物に関して取得された情報自体を出力する例を示す。
【０２８３】
上述したように、従来技術では、各種の機器を用いて、個人の好みに応じた飲み物を淹れることができる。また、各種の機器を用いて飲み物を淹れる場合にはある程度の時間を要する。そこで、各種の機器を用いて飲み物を淹れる場合（抽出する場合）に、その飲み物を淹れるタイミングで各種の情報を取得し、この情報を飲み物を淹れた人に提供することができれば、飲み物を淹れる楽しみが増加すると考えられる。そこで、第６の実施の形態では、飲み物を淹れる楽しみを提供することを目的とする。
【０２８４】
図４１は、第６の実施の形態における電子機器７００により取得された情報を出力する場合の例を簡略化して示す図である。なお、電子機器７００は、図３８（１）に示す電子機器７００に対応する。ただし、電子機器７００は、通信部（図１９に示す通信部３２５に相当）を備えるものとする。
【０２８５】
図４１（１）には、電子機器７００により取得された情報を電子機器７００から出力する場合の例を示す。なお、図３８（１）に示すように、電子機器７００には、４つのセンサ７０１〜７０４を設ける。４つのセンサ７０１〜７０４は、例えば、音センサ、画像センサ、温度センサ、匂いセンサであるものとする。
【０２８６】
例えば、電子機器７００の制御部は、各センサ７０１〜７０４により取得された情報を電子機器７００から出力することができる。例えば、電子機器７００が音声出力部を備える場合には、図４１（１）に示すように、音センサにより取得された珈琲の抽出時に発生する音を、増幅して出力することができる。これにより、珈琲抽出器７６０を用いて珈琲を淹れているユーザＰ１は、珈琲を淹れている間に発生する音（例えば、珈琲の水滴が容器に落ちる音が増幅された音）を聞きながら、珈琲を淹れることができる。また、ユーザＰ１は、珈琲を淹れ終わった後には、その珈琲を味わいながら、その抽出により取得された特徴量に基づくコンテンツを楽しむことができる。
【０２８７】
また、例えば、電子機器７００が表示部を備える場合には、画像センサにより取得された珈琲の抽出時における画像（容器における珈琲の表面）を表示部に表示することができる。これにより、珈琲抽出器７６０を用いて珈琲を淹れているユーザＰ１は、珈琲を淹れている間における遷移（容器における珈琲の表面の遷移）を見ながら、珈琲を淹れることができる。また、ユーザＰ１は、珈琲を淹れ終わった後には、その珈琲を味わいながら、その抽出により取得された特徴量に基づくコンテンツを楽しむことができる。
【０２８８】
また、例えば、電子機器７００が音声出力部及び表示部を備える場合には、音センサにより取得された珈琲の抽出時に発生する音を、増幅して出力するとともに、画像センサにより取得された珈琲の抽出時における画像（容器における珈琲の表面）を表示部に表示することができる。温度センサにより取得された珈琲の抽出時における温度の値の表示、音声出力や、匂いセンサにより取得された珈琲の抽出時における匂いに関する表示、音声出力をするようにしてもよい。これにより、珈琲抽出器７６０を用いて珈琲を淹れているユーザＰ１は、珈琲の抽出をさらに楽しむことができる。また、他のセンサを用いた場合についても同様に出力を行うことができる。
【０２８９】
図４１（２）には、電子機器７００により取得された情報を他の電子機器（電子機器３５０）から出力する場合の例を示す。なお、図４１（２）に示す例は、電子機器７００により取得された情報を他の電子機器（電子機器３５０）から出力する点以外は、図４１（１）に示す例と同様である。
【０２９０】
図４１（３）には、電子機器７００により取得された情報を他の電子機器（電子機器３６０）から出力する場合の例を示す。なお、図４１（３）に示す例は、電子機器７００により取得された情報を他の電子機器（電子機器３６０）から出力する点以外は、図４１（１）に示す例と同様である。
【０２９１】
なお、以上では、１または複数のセンサにより取得された珈琲の抽出時に関する情報について所定処理（例えば、音の増幅、表示画像（動画）の生成）を施して出力する例を示した。ただし、複数のセンサにより取得された珈琲の抽出時に関する情報について所定処理（例えば、音の増幅、表示画像（動画）の生成）を施して１の情報として出力するようにしてもよい。例えば、各センサにより取得された情報と、ドレミファソラシド等の音階とを数値化（例えば、０、１、２、…）し、各センサにより取得された情報に所定の演算処理を施してその演算結果に基づいて算出される値を、音階の数値に順次当てはめていき、音声出力するようにしてもよい。例えば、画像センサにより取得された画像情報について、円形画像における黒の割合を数値化（例えば、０、１、２、…）し、音センサにより取得された音声情報について、音の大きさを数値化（例えば、０、１、２、…）し、温度センサにより取得された温度情報について、温度の数値（または他の数値）に変換（例えば、０、１、２、…）し、匂いセンサにより取得された匂い情報について、匂いの強さを数値化（例えば、０、１、２、…）する。次に、これらの各センサについて算出された各数値に所定の演算（例えば、四則演算）を行い、音階に変換するための数値を算出する。次に、算出された数値（音階）に基づいて、音声を出力するようにする。また、画像出力についても、各センサにより取得された情報に所定の演算処理を施してその演算結果に基づいて算出される値に基づいて行うことができる。なお、これらの音声出力、画像出力は、第１乃至第５の実施の形態と同様に、各センサにより取得された情報に基づいてコンテンツを出力する例としても把握することができる。また、これらの各処理を他の機器に行わせ、他の機器において出力させるようにしてもよい。例えば、図４１（２）（３）に示すように、複数のセンサにより取得された珈琲の抽出時に関する情報を電子機器３５０、３６０に順次送信し、各処理を電子機器３５０、３６０に行わせ、電子機器３５０、３６０において各情報を出力させるようにしてもよい。また、第５の実施の形態で示したように、複数のセンサにより取得された珈琲の抽出時に関する情報をネットワーク４２０を介してサーバ４１０に順次送信し、各処理をサーバ４１０に行わせ、その処理に基づく出力情報をサーバ４１０から順次受信して自機器（または、他の機器）において出力するようにしてもよい。
【０２９２】
以上で示したように、第１乃至第６の実施の形態で示した各電子機器２０、２２０、３２０、３５０、３６０、４３１、４４１、４４２、４４３、４５１、４５２、６６０、７００、７１０、７２０、７２５、７５０、情報処理装置（例えば、サーバ４１０）は、飲み物を生成するための物質（例えば、粉末状の物質、液体状の物質、固体状の物質）と液体とにより生成される飲み物を容器に溜める場合の、その生成の際、その生成された飲み物を容器に入れる際、または、その生成された飲み物を容器に入れた後に、その生成された飲み物に関して取得される情報（その飲み物から取得される情報）に基づいて、コンテンツ（例えば、その飲み物とは無関係の情報）を決定する情報処理装置、情報処理システム、通信システムの一例である。
【０２９３】
また、第１乃至第６の実施の形態で示した各電子機器２０、２２０、３２０、３５０、３６０、４３１、４４１、４４２、４４３、４５１、４５２、６６０、７００、７１０、７２０、７２５、７５０、情報処理装置（例えば、サーバ４１０）は、飲み物を抽出するための抽出器具から落ちる液体を溜める容器に溜められる、その液体に関する情報を取得して使用する電子機器、情報処理装置、情報処理システム、通信システムの一例である。例えば、その液体に関する情報を、ユーザへの提供対象となるコンテンツの決定に用いることができる。
【０２９４】
また、第５の実施の形態で示したサーバ４１０（または、これを構成する複数の機器）は、飲み物を生成するための物質（例えば、粉末状の物質、液体状の物質、固体状の物質）と液体とにより生成される飲み物を容器に溜める場合の、その生成の際、その生成された飲み物を容器に入れる際、または、その生成された飲み物を容器に入れた後に、その生成された飲み物に関して取得される情報（その飲み物から取得される情報）を、複数の容器に入れられた各飲み物について取得し、その取得された各情報に基づいて、複数の容器に関連する各人物に提供するコンテンツ（例えば、その飲み物とは無関係の情報）を決定する情報処理装置、情報処理システム、通信システムの一例である。
【０２９５】
また、第５の実施の形態で示したサーバ４１０（または、これを構成する複数の機器）は、抽出された飲み物を容器に入れる際、または、抽出された飲み物を容器に入れた後に、その抽出された飲み物に関して取得される情報を複数の容器に入れられた各飲み物について取得し、その取得された各情報に基づいて、複数の容器に関連する各人物に提供するコンテンツを決定する情報処理装置、情報処理システム、通信システムの一例である。
【０２９６】
なお、第１乃至第６の実施の形態で示した各制御動作は、各処理手順をコンピュータに実行させるためのプログラムに基づいて実行されるものであり、その各制御動作は、方法、プログラムの発明としても把握することができる。例えば、第１乃至第６の実施の形態で示した各制御動作に係るプログラムを電子機器、サーバ等の情報処理装置の記憶媒体に記憶させ、この記憶媒体からそのプログラムを読み出し、読み出したプログラムをその情報処理装置に実行させることにより、第１乃至第６の実施の形態で示した各制御動作を実現することができる。また、その情報処理装置の外部の記憶媒体（例えば、ＣＤ（Compact Disc）、ＤＶＤ（Digital Versatile Disc）、メモリカード）等にそのプログラムを記憶させ、用いるようにしてもよい。
【０２９７】
なお、第１乃至第６の実施の形態は、請求の範囲に記載の発明を実現するための一例を示したものであり、これらに限定されるものではなく、その要旨を逸脱しない範囲において種々の変形を施すことができる。
【符号の説明】
【０２９８】
１、２００、６００、６１０、６２０、６３０、６４０、６５０  珈琲抽出器
１０、２１０、６０１、６１１、６２１、６３１、６４１、６５１  ドリッパー
１１、２１１  収容部
１２、２１２  フランジ部
２０、２２０、３２０、３５０、３６０、４３１、４４１、４４２、４４３、４５１、４５２、６６０、７００、７１０、７２０、７２５、７５０  電子機器
２１、２２１、３２１、４８１  レンズ
２２、２２２、３２２、４８２  画像取得部
２３、２２３、３２３、３５２、４１２、４８３  制御部
２４、２２４、３２４、３５３、４１３、４８４  記憶部
２５、２２５、３５４、３６１、４８５  音声出力部
３０、６０３、６１３、６２３、６３３、６４３、６５２  容器
２１３  出口
２２６、３５５、４８６  入力部
２２７、３５６、４８７  表示部
２２９、３５７、４８８  ユーザインタフェース
２４０、６０２、６１２、６２２、６３２、６４２  スタンド
３２５、３５１、４１１  通信部
３５８  位置情報取得部
４００  通信システム
４１０  サーバ
４２０  ネットワーク
４９０  位置情報設定部
６０４、６１４、６２４、６３４、６４４、６６１  センサ
６５３  設置台
【図１】
2020114386.tif 000003
【図２】
2020114386.tif 000004
【図３】
2020114386.tif 000005
【図４】
2020114386.tif 000006
【図５】
2020114386.tif 000007
【図６】
2020114386.tif 000008
【図７】
2020114386.tif 000009
【図８】
2020114386.tif 000010
【図９】
2020114386.tif 000011
【図１０】
2020114386.tif 000012
【図１１】
2020114386.tif 000013
【図１２】
2020114386.tif 000014
【図１３】
2020114386.tif 000015
【図１４】
2020114386.tif 000016
【図１５】
2020114386.tif 000017
【図１６】
2020114386.tif 000018
【図１７】
2020114386.tif 000019
【図１８】
2020114386.tif 000020
【図１９】
2020114386.tif 000021
【図２０】
2020114386.tif 000022
【図２１】
2020114386.tif 000023
【図２２】
2020114386.tif 000024
【図２３】
2020114386.tif 000025
【図２４】
2020114386.tif 000026
【図２５】
2020114386.tif 000027
【図２６】
2020114386.tif 000028
【図２７】
2020114386.tif 000029
【図２８】
2020114386.tif 000030
【図２９】
2020114386.tif 000031
【図３０】
2020114386.tif 000032
【図３１】
2020114386.tif 000033
【図３２】
2020114386.tif 000034
【図３３】
2020114386.tif 000035
【図３４】
2020114386.tif 000036
【図３５】
2020114386.tif 000037
【図３６】
2020114386.tif 000038
【図３７】
2020114386.tif 000039
【図３８】
2020114386.tif 000040
【図３９】
2020114386.tif 000041
【図４０】
2020114386.tif 000042
【図４１】
2020114386.tif 000043